(57)【要約】【課題】背景を用いて効果的な演出を行う。【解決手段】遊技機は、所定条件の成立により遊技情報を取得する取得手段と、取得手段により取得された遊技情報に基づいて、遊技者にとって有利な特別遊技を行うか否かの判定を行う判定手段と、複数種類の背景のうち何れかの背景を画像表示部に表示させる背景表示手段と、遊技者が操作可能な操作手段と、遊技者による操作手段の操作によって、複数種類の背景のうち何れかの背景を選択背景として遊技者が任意に選択可能にする背景選択手段と、背景選択手段が選択背景の選択を行った場合に、選択背景が選択された遊技の次の遊技にて選択背景に移行可能な背景移行手段と、を備え、一の遊技中に遊技者による選択背景の選択を可能にするとともに、一の遊技中に選択背景の選択が有効になる期間と選択背景の選択が有効にならない期間とが設けられている。【選択図】図３４
2018149421.tif 000002
【特許請求の範囲】
【請求項１】
所定条件の成立により遊技情報を取得する取得手段と、
前記取得手段により取得された前記遊技情報に基づいて、遊技者にとって有利な特別遊技を行うか否かの判定を行う判定手段と、
複数種類の背景のうち何れかの背景を画像表示部に表示させる背景表示手段と、
遊技者が操作可能な操作手段と、
遊技者による前記操作手段の操作によって、前記複数種類の背景のうち何れかの背景を選択背景として遊技者が任意に選択可能にする背景選択手段と、
前記背景選択手段が前記選択背景の選択を行った場合に、当該選択背景が選択された遊技の次の遊技にて当該選択背景に移行可能な背景移行手段と、
を備え、
一の遊技中に遊技者による前記選択背景の選択を可能にするとともに、当該一の遊技中に当該選択背景の選択が有効になる期間と当該選択背景の選択が有効にならない期間とが設けられている遊技機。
【発明の詳細な説明】
【技術分野】
【０００１】
本発明は、遊技機に関するものである。
【背景技術】
【０００２】
遊技機において、遊技者にとって有利な特別遊技を行うか否かの判定を行う判定手段による判定結果に基づいて、図柄を変動表示させた後に判定結果を表す図柄で停止表示させる図柄制御が行われる。また、画像表示部においては、図柄の背後に背景を表示させることが行われている。
【０００３】
例えば特許文献１に記載のパチンコ機では、始動口に遊技球が入球されると、大当たりについての抽選処理が行われる。そしてこの結果、大当たりに当選された場合は、遊技者に特典が付与される大当たり遊技が行われる。また、このパチンコ機では、大当たりについての抽選処理の結果に基づいて、大当たりが当選される期待度を示唆する期待演出を行うにあたり、背景画像の画像内容がその前に変動表示されている装飾図柄ごと演出によって変更される全交換演出が行われる。
【先行技術文献】
【特許文献】
【０００４】
【特許文献１】特開２０１６−００５６２４号公報
【発明の概要】
【発明が解決しようとする課題】
【０００５】
ところで、図柄は、背後に表示される背景上に表示される。そのため、背景は、図柄を変動表示させたり、停止表示させたりする演出を行う際に、遊技者に与える印象が大きい。従って、背景を用いて効果的な演出を行うことができれば、遊技機の興趣性をさらに高めることができる。
そこで、本発明は、背景を用いて効果的な演出を行うことを目的とする。
【課題を解決するための手段】
【０００６】
上記の目的を達成する本発明は、次のような遊技機として実現される。この遊技機（例えば、パチンコ遊技機１００）は、所定条件の成立により遊技情報を取得する取得手段（例えば、乱数取得部２３１）と、前記取得手段（例えば、乱数取得部２３１）により取得された前記遊技情報に基づいて、遊技者にとって有利な特別遊技を行うか否かの判定を行う判定手段（例えば、特別図柄判定部２３４）と、複数種類の背景のうち何れかの背景を画像表示部（例えば、画像表示部１１４）に表示させる背景表示手段（例えば、演出制御部３００）と、遊技者が操作可能な操作手段（例えば、演出キー１６２）と、遊技者による前記操作手段（例えば、演出キー１６２）の操作によって、前記複数種類の背景のうち何れかの背景を選択背景として遊技者が任意に選択可能にする背景選択手段（例えば、演出制御部３００）と、前記背景選択手段（例えば、演出制御部３００）が前記選択背景の選択を行った場合に、当該選択背景が選択された遊技の次の遊技にて当該選択背景に移行可能な背景移行手段（例えば、演出制御部３００）と、を備え、一の遊技中に遊技者による前記選択背景の選択を可能にするとともに、当該一の遊技中に当該選択背景の選択が有効になる期間と当該選択背景の選択が有効にならない期間とが設けられている遊技機である。
【０００７】
なお、本欄における上記符号は、本発明の説明に際して例示的に付したものであり、この符号により本発明が減縮されるものではない。
【発明の効果】
【０００８】
本発明によれば、背景を用いて効果的な演出を行うことができる。
【図面の簡単な説明】
【０００９】
【図１】本実施の形態に係るパチンコ遊技機の概略正面図である。
【図２】（ａ）は遊技盤の左下に配設された表示器の一例を示す拡大図であり、（ｂ）はパチンコ遊技機の部分平面図である。
【図３】本実施の形態のパチンコ遊技機の制御ユニットの内部構成を示す図である。
【図４】本実施の形態の画像／音響制御部およびランプ制御部の説明図である。
【図５】本実施の形態の遊技制御部の機能構成を示すブロック図である。
【図６】遊技制御部による基本処理の動作を示すフローチャートである。
【図７】遊技制御部による電源遮断時処理の動作を示すフローチャートである。
【図８】遊技制御部の主制御処理を示すフローチャートである。
【図９】始動口スイッチ処理の内容を示すフローチャートである。
【図１０】特別図柄処理の内容を示すフローチャートである。
【図１１】変動パターン選択処理の内容を示すフローチャートである。
【図１２】変動パターン選択処理において用いられる変動パターンとテーブルの設定例を示す図である。
【図１３】遊技制御部のＲＡＭの構成例を説明するブロック図であり、（ａ）は記憶領域の構成を示すブロック図であり、（ｂ）は（ａ）に示す記憶部の各々の構成を示すブロック図である。
【図１４】演出制御部のＲＡＭの構成例を説明するブロック図であり、（ａ）は保留記憶領域の構成を示すブロック図であり、（ｂ）は（ａ）に示す記憶部の各々の構成を示すブロック図である。
【図１５】事前判定処理の内容を示すフローチャートである。
【図１６】演出制御部の動作を示すフローチャートであり、（ａ）はメイン処理を示す図、（ｂ）は割り込み処理を示す図である。
【図１７】コマンド受信処理の内容を示すフローチャートである。
【図１８】（ａ）は事前演出選択処理の内容を示すフローチャートであり、（ｂ）は演出選択処理の内容を示すフローチャートである。
【図１９】事前判定演出パターン選択処理の内容を示すフローチャートである。
【図２０】変動演出パターン選択処理の内容を示すフローチャートである。
【図２１】演出ボタン処理の内容を示すフローチャートである。
【図２２】演出制御部が行う装飾図柄変動演出の説明図である。
【図２３】演出制御部が行う装飾図柄変動演出の説明図である。
【図２４】本実施の形態の変動アイコン表示演出および保留アイコン表示演出の説明図である。
【図２５】本実施の形態のステージ演出の説明図である。
【図２６】本実施の形態の連続予告演出の説明図である。
【図２７】本実施の形態の連続予告演出の説明図である。
【図２８】本実施の形態のステージ演出のステージ設定処理のフロー図である。
【図２９】判定ステージ演出の処理フローである。
【図３０】本実施の形態のステージ滞在回数に関わる演出例の説明図である。
【図３１】本実施の形態の特別ステージ演出の説明図である。
【図３２】本実施の形態の選択ステージ演出の処理フローである。
【図３３】本実施の形態の選択ステージ演出の説明図である。
【図３４】装飾図柄変動演出と選択ステージ演出との関係の説明図である。
【図３５】連続予告演出と選択ステージ演出との関係の説明図である。
【図３６】特別ステージ演出と選択ステージ演出との関係の説明図である。
【図３７】変形例の選択ステージ演出の説明図である。
【発明を実施するための形態】
【００１０】
以下、添付図面を参照して、本発明の実施の形態について詳細に説明する。
〔遊技機の基本構成〕
図１は、本実施の形態に係るパチンコ遊技機１００の概略正面図である。
図１に示す遊技機の一例としてのパチンコ遊技機１００は、遊技領域１１１とレール部材１１２と案内部材１１３と画像表示部１１４と可動役物１１５と盤ランプ１１６とを有する遊技盤１１０と、遊技盤１１０を囲む枠部材１５０とを備えている。
画像表示部１１４は、液晶ディスプレイ等による表示画面（以下、画面と呼ぶ。）を備え、遊技者によるゲームの進行に伴い、例えば、図柄抽選結果（図柄変動結果）を遊技者に報知するための装飾図柄を表示したり、キャラクタの登場やアイテムの出現による演出画像や保留アイコンなどを表示したりする。
【００１１】
本実施の形態では、入賞や抽選に関する種々の役物として、遊技球が入賞すると特別図柄抽選（大当たり抽選）が始動する第１始動口１２１および第２始動口１２２と、遊技球が通過すると普通図柄抽選（開閉抽選）が始動する始動ゲート（以下、単にゲートと呼ぶ）１２４と、が遊技盤１１０に配設されている。なお、図１において、ゲート１２４は、遊技領域１１１の左右にそれぞれ設けられており、左側のゲート１２４は１２４Ｌと記載し、右側のゲート１２４は１２４Ｒと記載している。また、ここにいう第１始動口１２１および第２始動口１２２とは、予め定められた１の特別図柄表示器の作動契機となる入賞口をいう。具体的には、第１始動口１２１および第２始動口１２２には、入賞の際に遊技球の通過を検知するスイッチ（後述の第１始動口スイッチ２１１および第２始動口スイッチ２１２）が設けられている。そして、第１始動口１２１または第２始動口１２２に遊技球が入賞した際にこのスイッチが遊技球の通過を検知することが、特別図柄表示器を作動させる契機となる。
【００１２】
第２始動口１２２は、チューリップの花の形をした一対の羽根が電動ソレノイドにより開閉すると共に点灯する普通電動役物としての電動チューリップ（開閉部材）１２３を備えている。電動チューリップ１２３は、羽根が閉じていると、遊技球が第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば０．１５秒ないし１．８秒間）および規定回数（例えば１回ないし３回）だけ開く。
【００１３】
また、パチンコ遊技機１００は、第２始動口１２２への入賞機会が少ない時短無状態と、時短無状態よりも第２始動口１２２への入賞機会が多い時短状態とを有している。そして、所定の条件において、時短無状態と、時短状態とのいずれかの状態に制御される。時短状態とは、たとえば、特別図柄変動時間および普通図柄変動時間を短縮すること、電動チューリップ１２３の開時間を延長すること、普通図柄抽選の当たり当選確率を高確率にすること、のいずれか一つまたは複数の組合せによって制御される遊技状態である。
【００１４】
また、本実施の形態では、入賞や抽選に関するその他の役物として、特別図柄抽選の結果に応じて開放する特別電動役物としての大入賞口１２５と、遊技球が入賞しても抽選を行わない普通入賞口１２６と、が遊技盤１１０に配設されている。
本実施の形態では、遊技盤１１０の左下の位置に、抽選結果や保留数に関する表示を行う表示器１３０が配設されている。
【００１５】
また、遊技盤１１０の裏面には、特別図柄の当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の裏面には、供給された２４ＶのＡＣ電源をＤＣ電源に変換して各種の基板等に出力するスイッチング電源（不図示）が配設されている。
【００１６】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００１７】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行う。枠ランプ１５７は、ＬＥＤ等の発光体で構成され、点灯・点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００１８】
図２は、本実施の形態に係るパチンコ遊技機１００を説明する図であり、図２（ａ）は、遊技盤１１０の左下に配設された表示器１３０の一例を示す拡大図であり、図２（ｂ）は、パチンコ遊技機１００の部分平面図である。
パチンコ遊技機１００の表示器１３０は、図２（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞に基づき、特別図柄を変動表示した後に停止表示させて抽選結果を表示する。第２特別図柄表示器２２２は、第２始動口１２２の入賞に基づき、特別図柄を変動表示した後に停止表示させて抽選結果を表示する。普通図柄表示器２２３は、遊技球がゲート１２４を通過したことに基づき、普通図柄を変動表示した後に停止表示させて抽選結果を表示する。本実施の形態では、第１特別図柄表示器２２１、第２特別図柄表示器２２２は、各々ＬＥＤを配列した表示装置で構成され、その点灯態様によって特別図柄抽選の抽選結果が表示される。同様に、普通図柄表示器２２３も、ＬＥＤを配列した表示装置で構成され、その点灯態様によって普通図柄抽選の抽選結果が表示される。
【００１９】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。本実施の形態では、第１特別図柄保留表示器２１８、第２特別図柄保留表示器２１９および普通図柄保留表示器２２０は、各々ＬＥＤを配列した表示装置で構成され、その点灯態様によって保留数が表示される。
【００２０】
ここで、保留について説明する。特別図柄の変動表示動作中（入賞１回分の変動表示が行なわれている間）にさらに第１始動口１２１または第２始動口１２２に遊技球が入賞した場合、特別図柄が変動表示中であるために、後の入賞に基づく特別図柄の変動表示動作を開始することができない。そのため、後の入賞は規定個数（例えば４個）を限度に記憶され、その入賞した遊技球に対する特別図柄を始動させるための権利が、先に入賞した遊技球に対する変動表示動作が終了するまで、保留される。
なお、普通図柄に関しても、特別図柄と同様の処理を行う。このような保留がなされていることおよびその保留の数（未変動数）が、第１特別図柄保留表示器２１８、第２特別図柄保留表示器２１９および普通図柄保留表示器２２０に表示される。
【００２１】
さらに、表示器１３０は、パチンコ遊技機１００の状態を表示する状態表示器２２４を備えている。本実施の形態では、状態表示器２２４は、３個のＬＥＤを配列した表示装置で構成されている。３個のＬＥＤのうち１つは、パチンコ遊技機１００の状態が、特別図柄抽選の当選確率が高確率である高確率状態となっているか否かを点灯により報知するものである。また、他の１つは、パチンコ遊技機１００の状態が、第２始動口１２２に入賞しやすい時短状態となっているか否かを点灯により報知するものである。さらに他の１つは、右打ちすることによって（遊技球の打球力を変更することによって）遊技者に有利な状態となっているか否かを点灯により報知するものである。
【００２２】
パチンコ遊技機１００の枠部材１５０は、遊技者が演出に対する入力を行うための入力装置を備えている。図２（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。図示の例において、複数の画像の中から１つの画像を選択する操作を受け付ける演出を行う場合を考える。この場合、例えば、遊技者が十字に配列された４つのキーからなる演出キー１６２を操作することにより、画像表示部１１４に表示されている複数の画像のいずれかを指示し、演出ボタン１６１を操作することにより、指示した画像を選択するような演出を行うことができる。また、入力装置の形態としては、図示した演出ボタン１６１および演出キー１６２の他、レバーやダイヤル等、演出の内容等に応じて様々な入力形態を採用することができる。
【００２３】
〔制御ユニットの構成〕
次に、パチンコ遊技機１００での動作制御や信号処理を行う制御ユニットについて説明する。
図３は、本実施の形態のパチンコ遊技機１００の制御ユニットの内部構成を示すブロック図である。
図４は、本実施の形態の画像／音響制御部およびランプ制御部の説明図である。
【００２４】
図３に示すように、制御ユニットは、メイン制御手段として、特別図柄の当選の判定等を行う遊技制御部２００を備えている。また、サブ制御手段として、演出を統括的に制御する演出制御部３００と、払出球の払い出し制御を行う払出制御部３３０と、を備えている。
【００２５】
〔遊技制御部の構成・機能〕
遊技制御部２００は、特別図柄の当選の判定等を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
【００２６】
遊技制御部２００は、パチンコ遊技機１００の遊技状態を、高確率状態または低確率状態のいずれか、時短無状態または時短状態のいずれかで制御する。これにより、パチンコ遊技機１００の遊技状態は、高確率状態および時短状態である高確率時短遊技状態、低確率状態および時短状態である低確率時短遊技状態、高確率状態および時短無状態である高確率時短無遊技状態、低確率状態および時短無状態である低確率時短無遊技状態のいずれかとなる。そして、遊技制御部２００は、所定の条件に基づき、高確率状態と低確率状態とを切り替え、時短無状態と時短状態とを切り替える。また、遊技制御部２００は、時短状態において、時短無状態よりも普通図柄抽選の当たり当選確率を高確率にする、普通図柄変動時間を短縮する、電動チューリップ１２３の開時間を延長する等の制御を行う。
【００２７】
遊技制御部２００は、第１始動口１２１または第２始動口１２２に遊技球が入賞したことを契機として特別図柄抽選を行う。そして、特別図柄抽選の判定結果に応じて大当たり遊技等の特別遊技を行う。特別遊技において、遊技制御部２００は、特別電動役物である大入賞口１２５が所定条件（例えば２９．５秒経過または遊技球１０個の入賞）を満たすまで開状態を維持するラウンドを所定回数だけ繰り返すように制御する。そして、遊技制御部２００は、大当たり大入賞口１２５が開く際の開閉動作間隔を制御する。
【００２８】
また、遊技制御部２００は、ゲート１２４を遊技球が通過したことを契機として普通図柄抽選を行う。そして、普通図柄抽選の判定結果に応じて電動チューリップ１２３の作動を制御する。
また、遊技制御部２００は、特別図柄変動中に遊技球が第１始動口１２１または第２始動口１２２へ入賞したことにより発生する保留や、普通図柄変動中に遊技球がゲート１２４を通過したことにより発生する保留の設定を行う。
さらに、遊技制御部２００は、特別図柄抽選および普通図柄抽選の判定結果、高確率状態と低確率状態の変更情報、時短無状態と時短状態の変更情報、保留の設定情報等の遊技制御に伴う情報を、後述するコマンドにより演出制御部３００に送る。
【００２９】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部３３０に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球をそれぞれ払い出すように、払出制御部３３０に指示命令（コマンド）を送る。なお、ゲート１２４を遊技球が通過したことを検出しても、それに連動した賞球の払い出しは払出制御部３３０に指示しない。
払出制御部３３０が遊技制御部２００の指示に従って賞球の払い出しを行った場合には、遊技制御部２００は、払い出した賞球の個数に関する情報を払出制御部３３０から取得する。それにより、払い出した賞球の個数を管理する。
【００３０】
遊技制御部２００には、検知手段として、図３に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、普通入賞口１２６への遊技球の入賞を検出する普通入賞口検出部（普通入賞口スイッチ（ＳＷ））２１７と、が接続されている。
【００３１】
また、遊技制御部２００には、特別図柄の変動表示中に第１始動口１２１へ入賞した未変動分の保留個数を表示する第１特別図柄保留表示器２１８と、特別図柄の変動表示中に第２始動口１２２へ入賞した未変動分の保留個数を表示する第２特別図柄保留表示器２１９と、普通図柄の変動表示中にゲート１２４を通過した未変動分の保留個数を表示する普通図柄保留表示器２２０と、が接続されている。
さらに、遊技制御部２００には、第１始動口１２１への遊技球の入賞により行われる特別図柄の変動表示および特別図柄抽選の結果を表示する第１特別図柄表示器２２１と、第２始動口１２２への遊技球の入賞により行われる特別図柄の変動表示および特別図柄抽選の結果を表示する第２特別図柄表示器２２２と、普通図柄の変動表示および普通図柄抽選の結果を表示する普通図柄表示器２２３と、パチンコ遊技機１００の状態を表示する状態表示器２２４と、が接続されている。
【００３２】
そして、第１始動口スイッチ２１１、第２始動口スイッチ２１２、ゲートスイッチ２１４、大入賞口スイッチ２１５および普通入賞口スイッチ２１７にて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１、第２特別図柄表示器２２２、普通図柄表示器２２３および状態表示器２２４に送られる。それにより、遊技制御部２００は、上記した払い出し賞球数に関連する各種制御を行う。
【００３３】
さらに、遊技制御部２００には、ホールに設置されたホストコンピュータ（不図示）に対して各種の情報を送信する盤用外部情報端子基板３５０が接続されている。そして、遊技制御部２００は、払出制御部３３０から取得した、払い出した賞球数に関する情報や遊技制御部２００の状態等を示す情報を、盤用外部情報端子基板３５０を介してホストコンピュータに送信する。
【００３４】
〔払出制御部の構成・機能〕
払出制御部３３０は、払出球の払い出しを制御する際の演算処理を行うＣＰＵ３３１と、ＣＰＵ３３１にて実行されるプログラムや各種データ等が記憶されたＲＯＭ３３２と、ＣＰＵ３３１の作業用メモリ等として用いられるＲＡＭ３３３と、を備えている。
そして、払出制御部３３０は、遊技制御部２００から送られたコマンドに基づいて、払出球の払い出しを制御する。
具体的には、払出制御部３３０は、遊技制御部２００から、遊技球が入賞した場所（第１始動口１２１等）に応じた所定数の賞球を払い出すコマンドを取得する。そして、コマンドに指定された数だけの賞球を払い出すように払出駆動部３３４を制御する。ここでの払出駆動部３３４は、遊技球の貯留部から遊技球を送り出す駆動モータで構成される。
【００３５】
また、払出制御部３３０には、払出駆動部３３４により遊技球の貯留部から実際に払い出された賞球の数を検出する払出球検出部３３５と、貯留部（不図示）での遊技球の貯留の有無を検出する球有り検出部３３６と、遊技者が遊技する際に使用する遊技球や払い出された賞球が保持される皿１５３が満タン状態に有るか否かを検出する満タン検出部３３７と、が接続されている。そして、払出制御部３３０は、払出球検出部３３５、球有り検出部３３６および満タン検出部３３７にて検出された検出信号を受け取り、これらの検出信号に応じた所定の処理を行う。
さらに、払出制御部３３０には、ホールに設置されたホストコンピュータに対して各種の情報を送信する枠用外部情報端子基板３４０が接続されている。そして、払出制御部３３０は、例えば払出駆動部３３４に対して払い出すように指示した賞球数に関する情報や払出球検出部３３５にて検出された実際に払い出された賞球数に関する情報等を枠用外部情報端子基板３４０を介してホストコンピュータに送信する。また、遊技制御部２００に対しても、同様の情報を送信する。
【００３６】
〔演出制御部の構成・機能〕
演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果および変動パターンに基づいて、演出内容を設定する。その際、演出ボタン１６１または演出キー１６２を用いたユーザからの操作入力を受けて、操作入力に応じた演出内容を設定する場合もある。この場合、例えば演出ボタン１６１等のコントローラ（不図示）から操作に応じた信号（操作信号）を受け付け、この操作信号により識別される操作内容を演出の設定に反映させる。
また、演出制御部３００は、遊技が所定期間中断された場合には、演出の一つとして客待ち用の画面表示の設定を指示する。
さらには、演出制御部３００は、遊技制御部２００より受信した高確率状態と低確率状態の変更情報、時短無状態と時短状態の変更情報に基づいて演出内容を設定する。
また、演出制御部３００は、設定した演出内容の実行を指示するコマンドを画像／音響制御部３１０およびランプ制御部３２０に送る。
【００３７】
さらに、演出制御部３００には、画像および音響を用いた演出を制御する画像／音響制御部３１０と、各種のランプおよび可動役物１１５を用いた演出を制御するランプ制御部３２０と、が接続されている。
【００３８】
〔画像／音響制御部の構成・機能〕
画像／音響制御部３１０は、図４に示すように、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、ＶＤＰ（Video Display Processor）３１４と、ＣＧＲＯＭ３１５と、ＳＮＤＲＯＭ３１６とを備えている。
【００３９】
そして、画像／音響制御部３１０は、演出制御部３００から送られたコマンドに基づいて、画像表示部１１４に表示する画像およびスピーカ１５６から出力する音響を制御する。
具体的には、ＣＧＲＯＭ３１５には、画像表示部１１４において遊技中に表示する図柄画像や背景画像、遊技者に抽選結果を報知するための装飾図柄、遊技者に事前判定演出を表示するためのキャラクタやアイテム等といった画像データが記憶されている。また、ＳＮＤＲＯＭ３１６には、画像データと同期させて、または画像データとは独立にスピーカ１５６から出力させる楽曲や音声、さらにはジングル等の効果音等といった各種音響データが記憶されている。
ＣＰＵ３１１は、演出制御部３００から送られた保留数コマンドもしくは変動演出開始コマンドに基づいて、アニメーションパターンの解析や、描画に関するコマンドをまとめたディスプレイリストの作成、およびディスプレイリストのＶＤＰ３１４への送信などを行う。
【００４０】
ＶＤＰ３１４は、ＣＰＵ３１１から受信したディスプレイリストに基づいて、ＣＧＲＯＭ３１５やＳＮＤＲＯＭ３１６にそれぞれ記憶された画像データや音響データ読み出す。さらには、ＶＤＰ３１４は、読み出した画像データを用いて背景画像表示、図柄画像表示、図柄画像変動、およびキャラクタ／アイテム表示等のための描画処理と、読み出した音響データを用いた音声処理とを行う。そして、ＶＤＰ３１４は、描画処理された画像データにより画像表示部１１４での画面表示を制御する。また、ＶＤＰ３１４は、音声処理された音響データによりスピーカ１５６から出力される音響を制御する。
なお、本実施の形態では、ＶＤＰ３１４が描画処理に併せて音声処理も行うよう構成しているが、これに限定されず、音声処理を専用で行うプロセッサを別途設けても構わない。
【００４１】
〔ランプ制御部の構成・機能〕
ランプ制御部３２０は、盤ランプ１１６や枠ランプ１５７の発光、および可動役物１１５の動作を制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、盤ランプ１１６や枠ランプ１５７の点灯／点滅や発光色等を制御する。また、可動役物１１５の動作を制御する。
【００４２】
具体的には、ランプ制御部３２０のＲＯＭ３２２には、演出制御部３００にて設定される演出内容に応じた盤ランプ１１６や枠ランプ１５７での点灯／点滅パターンデータおよび発光色パターンデータ（発光パターンデータ）が記憶されている。ＣＰＵ３２１は、ＲＯＭ３２２に記憶された発光パターンデータの中から、演出制御部３００から送られたコマンドに対応したものを選択して読み出す。そして、ランプ制御部３２０は、読み出した発光パターンデータにより盤ランプ１１６や枠ランプ１５７の発光を制御する。
また、ランプ制御部３２０のＲＯＭ３２２には、演出制御部３００にて設定される演出内容に応じた可動役物１１５の動作パターンデータが記憶されている。ＣＰＵ３２１は、可動役物１１５に対しては、読み出した動作パターンデータによりその動作を制御する。
【００４３】
なお、本実施の形態では、遊技制御部２００、演出制御部３００、画像／音響制御部３１０、ランプ制御部３２０、および払出制御部３３０各々は、遊技盤１１０の後面に配設されたメイン基板としての遊技制御基板、サブ基板としての演出制御基板、画像制御基板、ランプ制御基板、および払出制御基板において個別に構成されている。
【００４４】
〔遊技制御部の機能構成〕
続いて、遊技制御部２００の機能構成を説明する。
図５は、遊技制御部２００の機能構成を示すブロック図である。図５に示すように、遊技制御部２００は、各種抽選処理を実行する機能部として、乱数取得部２３１と、普通図柄判定部２３２と、特別図柄変動制御部２３３と、特別図柄判定部２３４と、普通図柄変動制御部２３６と、を備えている。
また、遊技制御部２００は、特別図柄変動に伴う処理を実行する機能部として、変動パターン選択部２３５を備えている。
さらに、遊技制御部２００は、各種役物の動作制御や賞球等に関するデータ処理を実行する機能部として、大入賞口動作制御部２３７と、電動チューリップ動作制御部２３８と、賞球処理部２３９と、出力制御部２４０と、乱数制御部２４１と、を備えている。
【００４５】
乱数取得部２３１は、特別図柄抽選に用いられる乱数値と、普通図柄抽選に用いられる乱数値とを取得する。特別図柄抽選に用いられる乱数値の場合、具体的には、第１始動口１２１や第２始動口１２２に遊技球が入賞したことを条件として、乱数の種類ごとに、所定の範囲の数値の中から１つの数値（乱数値）が選択（取得）される。取得された乱数値は、特別図柄判定部２３４による判定に用いられる。詳しくは後述するが、特別図柄抽選に用いられる乱数としては、大当たりか否かを示す大当たり乱数、大当たりの種類を示す図柄乱数、変動パターン乱数、リーチ乱数等が有る。
また、普通図柄抽選に用いられる乱数値の場合、具体的には、ゲート１２４を遊技球が通過したことを条件として、所定の範囲の数値の中から１つの数値（乱数値）が選択（取得）される。取得された乱数値は、普通図柄判定部２３２による判定に用いられる。なお、普通図柄抽選に用いられる乱数としては、当たりか否かを示す当たり乱数の他、当たりの種類を示す図柄乱数や変動パターン乱数等が設定される場合もある。
特別図柄変動制御部２３３は、特別図柄抽選が行われた場合に、抽選結果に応じて、第１特別図柄表示器２２１または第２特別図柄表示器２２２における特別図柄の変動を制御する。
【００４６】
特別図柄判定部２３４は、特別図柄の変動開始時に、乱数テーブルを用いて、特別図柄抽選の抽選結果が「大当たりか否か」、「大当たりに当選した場合の大当たりの種類」、「大当たりに当選していない場合での小当たりかはずれか」を判定する大当たり判定処理を行う。すなわち、乱数取得部２３１は、検知手段である第１始動口スイッチ２１１または第２始動口スイッチ２１２により遊技球の通過が検知されたことを契機として特別図柄に関する乱数値を取得し、特別図柄判定部２３４は、取得した乱数値に基づいて、遊技者にとって有利な特別遊技（大当たり遊技等）を行うか否かを判定する。なお、前述した特別図柄の抽選（大当たり抽選）は、乱数取得部２３１および特別図柄判定部２３４における処理のことをいう。
【００４７】
ここで、「大当たり」は、大当たり遊技の終了後に発生する遊技状態に応じて複数の種類に分けられる。具体的には、時短無状態か時短状態か、および高確率状態か低確率状態かの組み合わせによって大当たりの種類が決まる。すなわち、大当たり遊技の終了後に発生する遊技状態に基づく大当たりの種類としては、大当たり遊技の終了後に、高確率時短遊技状態となる大当たり（以下、高確率時短遊技状態の大当たり）、低確率時短遊技状態となる大当たり（以下、低確率時短遊技状態の大当たり）、高確率時短無遊技状態となる大当たり（以下、高確率時短無遊技状態の大当たり）、低確率時短無遊技状態となる大当たり（以下、低確率時短無遊技状態の大当たり）が有り得る。これらの大当たりは、各々個別の特別図柄に対応付けられており、特別図柄抽選において当選した特別図柄の種類に応じて大当たりの種類が確定する。
【００４８】
また、「大当たり」は、大当たり遊技の時間が長く多量の遊技球の払い出しが期待できる大当たりと、大当たり遊技の時間が短く遊技球の払出がほとんど期待できない大当たりとに分けられる場合がある。前者は「長当たり」と呼ばれ、後者は「短当たり」と呼ばれる。例えば、「長当たり」では、大入賞口１２５の開状態が所定条件（例えば２９．５秒経過または１０個の遊技球の入賞）を満たすまで維持されるラウンドが所定回数（例えば１５回）繰り返される。また、「短当たり」では、一定時間（例えば０．１秒）だけ大入賞口１２５が開状態となるラウンドが所定回数（例えば１５回）繰り返される。
【００４９】
また、大当たりに当選していない場合の「小当たり」は、例えば０．１秒だけ大入賞口１２５が開状態となる態様が所定回数（例えば１５回）行われる小当たり遊技が行われる。なお、小当たり当選時には、小当たり遊技が終了した後においても小当たり当選前の遊技状態を継続する。すなわち、小当たり当選時の遊技状態が高確率時短遊技状態である場合には、小当たり遊技の終了後においても高確率時短遊技状態が継続され、遊技状態は移行しない。同様に、小当たりの当選時の遊技状態が低確率時短無遊技状態である場合には、小当たり遊技の終了後においても低確率時短無遊技状態が継続され、遊技状態は移行しない。
また、「小当たり」は、「はずれ」の一種であり、遊技者に有利となる上記の遊技状態の何れも設定されない。
【００５０】
変動パターン選択部２３５は、第１特別図柄表示器２２１や第２特別図柄表示器２２２にて表示する特別図柄の変動パターン（変動時間）を選択する。具体的には、変動パターン選択部２３５は、大当たり遊技を行うか否かの判定結果およびリーチを行うか否かの判定結果等に基づいて、変動パターンを決定する。そして、変動パターン選択部２３５により選択された変動パターンに基づいて、特別図柄変動制御部２３３が特別図柄の変動を制御する。変動パターン選択部２３５および特別図柄変動制御部２３３の動作の詳細については後述する。
ここで、「リーチ」とは、後述する装飾図柄において遊技者に大当たりを期待させるための演出である。
【００５１】
普通図柄判定部２３２は、普通図柄の変動開始時に、乱数テーブルを用いて、普通図柄の抽選結果が「当たりか否か」を判定する。すなわち、普通図柄判定部２３２は、乱数取得部２３１により取得された普通図柄抽選用の乱数値に基づいて、電動チューリップ１２３を開閉作動させる補助遊技を行うか否かを判定する。また、普通図柄抽選において複数の種類の当たりが設定される場合は、普通図柄判定部２３２は、判定結果が当たりであった場合の「当たりの種類」を判定する。なお、普通図柄抽選は、乱数取得部２３１および普通図柄判定部２３２により行われる処理である。
普通図柄変動制御部２３６は、普通図柄抽選が行われた場合に、抽選結果に応じて、普通図柄表示器２２３による普通図柄の変動を制御する。
電動チューリップ動作制御部２３８は、普通図柄判定部２３２により普通図柄抽選において「当たり」と判定された場合に、電動チューリップ１２３を規定時間および規定回数だけ開放し、第２始動口１２２に遊技球が入賞容易となる状態を発生させる。また、「はずれ」と判定された場合には、電動チューリップ１２３のこのような開放状態を発生させない。
【００５２】
大入賞口動作制御部２３７は、特別図柄判定部２３４により特別図柄抽選において「大当たり」と判定された場合に、大当たり遊技として、当選した大当たりの種類に基づいて特定される作動パターンで大入賞口１２５の開放動作を制御する。また、大入賞口動作制御部２３７は、特別図柄判定部２３４により特別図柄抽選において「小当たり」と判定された場合に、小当たり遊技として、規定時間および規定回数だけ大入賞口１２５を開放する。
賞球処理部２３９は、入賞や抽選に関する種々の役物への入賞個数の管理および入賞に応じた賞球の払い出しの制御用コマンドをセットする。
出力制御部２４０は、遊技制御部２００から演出制御部３００および払出制御部３３０へ制御用コマンドの出力を制御する。
乱数制御部２４１は、乱数取得部２３１が所定のタイミングで取得する各種の乱数値を更新する。
【００５３】
〔遊技機の基本動作〕
次に、パチンコ遊技機１００の基本動作を説明する。
パチンコ遊技機１００の遊技制御部２００は、電源が投入されると、起動時の基本処理として、各種装置の初期化や初期設定を行う。そして、基本処理を行った後、遊技制御部２００は、遊技の進行に関する一連の処理である主制御処理を繰り返し実行する。また、電源を遮断する際には、遊技制御部２００は、一連の電源遮断時処理を実行する。
【００５４】
図６は、遊技制御部２００による基本処理の動作を示すフローチャートである。
遊技制御部２００は、パチンコ遊技機１００の電源が投入されると、まず、ＲＡＭ２０３（図３参照）へのアクセスを許可する（ステップ（以下、ステップを「Ｓ」と記載する）６０１）。そして、遊技制御部２００は、ＲＡＭ２０３をクリアするためのＲＡＭクリアスイッチがＯＮとなっているか否かを判断する（Ｓ６０２）。
ＲＡＭクリアスイッチがＯＦＦである場合（Ｓ６０２でＮｏ）、次に、遊技制御部２００は、電源遮断時の動作に関するバックアップフラグがＯＮとなっているか否かを判断する（Ｓ６０３）。
バックアップフラグがＯＮである場合（Ｓ６０３でＹｅｓ）、次に、遊技制御部２００は、電源遮断時に作成されたチェックサムが正常か否かを判断する（Ｓ６０４）。
チェックサムが正常である場合（Ｓ６０４でＹｅｓ）、次に、遊技制御部２００は、復帰処理を実行する（Ｓ６０５）。この復帰処理において、遊技制御部２００は、電源が遮断された状態からの復帰に伴う、演出制御部３００等のサブ制御手段の設定を行う。具体的には、遊技制御部２００は、電源が遮断される際におけるパチンコ遊技機１００の遊技状態（大当たり遊技中か否か、高確率状態と低確率状態のいずれか、時短状態と時短無状態のいずれか）を反映させるように、サブ制御手段を設定するためのコマンドを演出制御部３００へ出力する。また、この復帰処理において、遊技制御部２００は、バックアップフラグをＯＦＦにする。
【００５５】
一方、ＲＡＭクリアスイッチがＯＮ（Ｓ６０２でＹｅｓ）、バックアップフラグがＯＦＦ（Ｓ６０３でＮｏ）、チェックサムが異常（Ｓ６０４でＮｏ）のいずれかに該当する場合、次に遊技制御部２００は、初期化処理として、ＲＡＭ２０３の記憶内容をクリアし（Ｓ６０６）、ＲＡＭ２０３の作業領域を設定する（Ｓ６０７）。そして、遊技制御部２００は、サブ制御手段を設定（初期化）するためのコマンドを演出制御部３００へ出力し、サブ基板（サブ制御手段）の設定を行う（Ｓ６０８）。サブ基板の設定には、各サブ基板に搭載されているＲＡＭ３０３、ＲＡＭ３１３、ＲＡＭ３２３をクリアすること等が含まれる。
【００５６】
復帰処理（Ｓ６０５参照）が終了した後、またはサブ基板の設定（Ｓ６０８参照）が終了した後、遊技制御部２００は、遊技制御に用いられる各種のカウンタおよびタイマーを設定する（Ｓ６０９）。そして、遊技制御部２００は、割り込み許可（Ｓ６１０）、割り込み禁止（Ｓ６１１）、図柄乱数制御処理（Ｓ６１２）、初期値乱数更新処理（Ｓ６１３）、電源遮断フラグがＯＮとなっているか否かの判断（Ｓ６１４）をループ処理として繰り返し実行する。
ここで、割り込み許可（Ｓ６１０）および割り込み禁止（Ｓ６１１）は、このループ処理（Ｓ６１０〜Ｓ６１４）の実行中に割り込み処理の実行を可能とするために設けられている。本実施の形態では、この割り込み処理により、遊技制御における主制御処理が実行される。主制御処理の詳細については後述する。
図柄乱数制御処理（Ｓ６１２）において、遊技制御部２００は、特別図柄抽選で用いられる変動パターン乱数の更新を行う。
初期値乱数更新処理（Ｓ６１３）において、遊技制御部２００は、遊技制御において用いられる各種の乱数値の初期値を更新する。
電源遮断フラグの判断において、電源遮断フラグがＯＦＦである場合（Ｓ６１４でＮｏ）、パチンコ遊技機１００の電源は遮断されず、遊技制御部２００は、ループ処理（Ｓ６１０〜Ｓ６１４）と共に割り込みによる主制御処理を繰り返し実行する。一方、電源遮断フラグがＯＮである場合（Ｓ６１４でＹｅｓ）、遊技制御部２００は、パチンコ遊技機１００の電源を遮断するための処理（電源遮断時処理）を開始する。
【００５７】
図７は、遊技制御部２００による電源遮断時処理の動作を示すフローチャートである。
電源遮断時処理において、遊技制御部２００は、まず、各種の出力を行うための出力ポートの設定をクリアする（Ｓ７０１）。次に、遊技制御部２００は、チェックサムを作成し、ＲＡＭ２０３に格納する（Ｓ７０２）。次に、遊技制御部２００は、バックアップフラグをＯＮにし（Ｓ７０３）、ＲＡＭ２０３へのアクセスを禁止して（Ｓ７０４）、無限ループに移行する。
【００５８】
〔遊技機の主制御処理〕
次に、パチンコ遊技機１００の主制御処理を説明する。
遊技制御部２００は、主制御処理において、パチンコ遊技機１００における遊技を制御すると共に、サブ制御手段である演出制御部３００に対して演出の制御を指示し、払出制御部３３０に対して賞球の払い出しの制御を指示する。
【００５９】
図８は、遊技制御部２００の主制御処理を示すフローチャートである。
主制御処理は、遊技制御における一連の処理からなり、予め設定された一定時間（例えば４ミリ秒）ごとに繰り返し実行される。本実施の形態において、遊技制御部２００は、予め設定された一定時間ごとに割り込みを発生させ、図６に示すループ処理の中で割り込みが許可（Ｓ６１０参照）されると、割り込み処理として主制御処理を実行する。図８に示すように、主制御処理では、乱数更新処理、スイッチ処理、図柄処理、電動役物処理、賞球処理、出力処理が順次実行される（Ｓ８０１〜Ｓ８０６）。
【００６０】
乱数更新処理（Ｓ８０１）では、遊技制御部２００は、乱数制御部２４１の機能（サブルーチン）を呼び出し、遊技制御部２００による遊技制御で用いられる各種の乱数の値を更新する。乱数の設定および乱数値の更新の詳細については後述する。
【００６１】
スイッチ処理（Ｓ８０２）としては、始動口スイッチ処理、ゲートスイッチ処理が行われる。
始動口スイッチ処理では、遊技制御部２００は、乱数取得部２３１の機能（サブルーチン）を呼び出し、図３の第１始動口スイッチ２１１および第２始動口スイッチ２１２の状態を監視し、スイッチがＯＮとなった場合に、特別図柄抽選のための処理を実行する。また、詳しくは後述するが、第１始動口スイッチ２１１および第２始動口スイッチ２１２において事前判定処理を行う場合は、特別図柄判定部２３４、変動パターン選択部２３５の各機能（サブルーチン）を呼び出し、事前判定のための処理を実行する。
ゲートスイッチ処理では、遊技制御部２００は、乱数取得部２３１の機能（サブルーチン）を呼び出し、図３のゲートスイッチ２１４の状態を監視し、スイッチがＯＮとなった場合に、普通図柄抽選のための処理を実行する。
これらのスイッチ処理の詳細な内容については後述する。
【００６２】
図柄処理（Ｓ８０３）としては、特別図柄処理、普通図柄処理が行われる。
特別図柄処理では、遊技制御部２００は、特別図柄変動制御部２３３、特別図柄判定部２３４、変動パターン選択部２３５の各機能（サブルーチン）を呼び出し、特別図柄変動およびこの図柄変動に伴う処理を実行する。
普通図柄処理では、遊技制御部２００は、普通図柄判定部２３２および普通図柄変動制御部２３６の機能（サブルーチン）を呼び出し、普通図柄変動およびこの図柄変動に伴う処理を実行する。
これらの図柄処理の詳細な内容については後述する。
【００６３】
電動役物処理（Ｓ８０４）としては、大入賞口処理および電動チューリップ処理が行われる。
大入賞口処理では、遊技制御部２００は、大入賞口動作制御部２３７の機能（サブルーチン）を呼び出し、所定の条件に基づいて特別電動役物である大入賞口１２５の開放動作を制御する。
電動チューリップ処理では、遊技制御部２００は、電動チューリップ動作制御部２３８の機能（サブルーチン）を呼び出し、所定の条件に基づいて普通電動役物である電動チューリップ１２３の開放動作を制御する。
これらの電動役物処理の詳細な内容については後述する。
【００６４】
賞球処理（Ｓ８０５）では、遊技制御部２００は、賞球処理部２３９の機能（サブルーチン）を呼び出し、入賞個数の管理および入賞に応じた賞球の払い出しの制御用コマンドをセットする。
【００６５】
出力処理（Ｓ８０６）では、遊技制御部２００は、出力制御部２４０の機能（サブルーチン）を呼び出し、演出制御用のコマンドを演出制御部３００へ出力し、払い出し制御用のコマンドを払出制御部３３０へ出力する。演出制御用コマンドは、Ｓ８０２からＳ８０４までの各処理において生成され、ＲＡＭ２０３に設けられた制御用コマンドの格納領域に格納（セット）される。払い出し制御用コマンドは、Ｓ８０５の処理において生成され、ＲＡＭ２０３に設けられた制御用コマンドの格納領域に格納（セット）される。ＲＡＭ２０３には、制御用コマンドの種類ごとに格納領域が設定されている。
【００６６】
出力制御部２４０は、ＲＡＭ２０３の各制御用コマンドの格納領域を順に調べ、個々の格納領域に制御用コマンドが格納されていれば（すなわち、Ｓ８０２〜Ｓ８０５の処理で制御用コマンドが生成されていれば）、その制御用コマンドを読み出し、出力先（演出制御部３００または払出制御部３３０）へ出力する。
【００６７】
本実施の形態では、図８に示したように、一連の主制御処理の最後に出力処理を行う。すなわち、第１の処理手段としての上記各機能によるＳ８０２〜Ｓ８０５の各処理において生成されたコマンドを、その各処理においてはＲＡＭ２０３の対応する格納領域に格納しておく。そして、これらの処理の後に、第２の処理手段としての出力制御部２４０が、ＲＡＭ２０３の格納領域に蓄積された、各処理で生成されたコマンドをまとめて出力する。言い換えれば、本実施の形態では、主制御処理を１サイクル実行すると、その１サイクルの実行において生成されたコマンドが、その１サイクルの実行における最後のコマンド生成が行われた後に、出力される。
【００６８】
〔遊技機の基本動作の変形例〕
なお、図６乃至図８を参照して説明した動作例では、基本処理におけるループ処理の部分で割り込みを許可し、割り込み処理として一連の処理からなる主制御処理を実行した。しかしながら、主制御処理は、一定時間ごとに繰り返し実行されるように構成されていれば良く、具体的な実現手段（実行手順）は、図６乃至図８に示した例には限定されない。例えば、基本処理の一連の動作の中に主制御処理を組み入れておき、所定のタイミングで経過時間を計測し、一定時間（例えば４ミリ秒）ごとに主制御処理へ戻る構成としても良い。また、基本処理の一連の動作の中に主制御処理を組み入れる一方で、図６乃至図８を参照して説明した動作と同様に、一定時間ごとに割り込みを発生させ、割り込みが発生したならば基本処理中に組み入れられた主制御処理へ戻る構成としても良い。
【００６９】
また、基本処理で生成されたコマンドを出力する場合は、原則として、コマンドを生成する度に、ＲＡＭ２０３のコマンド格納領域に格納し、第２の処理手段である出力制御部２４０の機能を呼び出して出力する。基本処理は、遊技の進行に関わる主制御処理とは異なり、電源投入時にのみ行われる初期動作等の特別な処理である。また、基本処理は、電源投入時のパチンコ遊技機１００の状態等の条件に基づく分岐により処理手順が変動する場合があるため、出力処理に漏れが無いように、生成したコマンドを速やかに出力する処理である。なお、関連する複数の処理により連続的にコマンドが生成される場合等、具体的な処理の要請に応じて、複数のコマンドをＲＡＭ２０３のコマンド格納領域に格納し、まとめて出力する処理手順を採っても良い。
【００７０】
〔遊技制御部による乱数更新処理〕
特別図柄抽選等の遊技制御における各種の抽選に用いられる判定情報としての乱数値は、カウンタによって計数され、所定の初期値から始まって、図８に示す主制御処理の乱数更新処理（Ｓ８０１）が行われるたびに１ずつ加算される。そして、各抽選が行われた時点の値が始動口スイッチ処理（図９）およびゲートスイッチ処理で取得され、特別図柄処理（図１０）や普通図柄処理で使用される。この乱数値のカウンタは無限ループカウンタであり、計数された乱数値が、設定されている乱数の最大値に達した後は、再び初期値に戻る。また、乱数更新処理は一定時間ごとに行われるため、各乱数の初期値が特定されてしまうと、更新間隔や初期値の情報に基づいて当選値が推定される恐れがある。そこで、主制御処理から図６に示す基本処理に戻った後、Ｓ６１３の初期値乱数更新処理において、各乱数の初期値をランダムに変更する。
【００７１】
〔遊技制御部による始動口スイッチ処理〕
図９は、図８のＳ８０２に示したスイッチ処理のうちの始動口スイッチ処理の内容を示すフローチャートである。
この始動口スイッチ処理は、第１始動口１２１における入賞に対する処理と、第２始動口１２２における入賞に対する処理とが順次行われる。図９を参照すると、遊技制御部２００は、まず、第１始動口１２１に遊技球が入賞して第１始動口スイッチ２１１がＯＮとなったか否かを判断する（Ｓ９０１）。第１始動口スイッチ２１１がＯＮとなったならば、次に遊技制御部２００は、第１始動口１２１の入賞における未変動分の保留数Ｕ１が上限値未満か否かを判断する（Ｓ９０２）。図９に示す例では、上限値を４個としている。保留数Ｕ１が上限値に達している場合は（Ｓ９０２でＮｏ）、それ以上未変動分の入賞を保留することができないので、第１始動口１２１における入賞に対する処理を終了する。
【００７２】
一方、保留数Ｕ１が上限値未満である場合（Ｓ９０２でＹｅｓ）、遊技制御部２００の乱数取得部２３１は、今回の入賞による判定のための乱数値を取得し、ＲＡＭ２０３に格納する（Ｓ９０３）。ここでは、第１始動口１２１の入賞なので、特別図柄抽選のための乱数値が取得される。このとき取得される乱数値は、Ｓ８０１の乱数更新処理で更新された値である。そして、この乱数値により、後の特別図柄処理において特別図柄抽選の結果が確定される。ここにいう乱数値（遊技情報）としては、大当たり、小当たりまたははずれを決定する大当たり乱数値、大当たりの種類（大当たり遊技の終了後における時短状態か時短無状態、高確率状態と低確率状態、長当たり、短当たり）を決定する図柄乱数値（大当たり図柄乱数値）、図柄変動における変動パターンを特定するための変動パターン乱数値、はずれのときに後述のリーチ有り演出をするか否かを決定するリーチ乱数値、等が含まれる。
【００７３】
次に、遊技制御部２００は、事前判定処理を行う（Ｓ９０４）。事前判定処理とは、始動口における入賞により乱数の取得が既に行われているが後述する特別図柄処理によって乱数の判定が未だ行われていない入賞球（保留球）について、特別図柄処理によって乱数が判定されるよりも前にその乱数の判定を行う（事前判定）処理である。
【００７４】
そして、本実施の形態の演出制御部３００は、事前判定処理によって判定された乱数の判定結果（事前判定結果）に基づいて、特別図柄処理によって乱数が判定され、その判定結果が報知されるよりも前に、その判定結果を示唆する事前判定演出を行うことができる。この事前判定演出は、例えば、始動口における入賞により乱数の取得が既に行われているが特別図柄処理によって乱数の判定が未だ行われていない入賞球（保留球）の発生に応じて、画像表示部１１４に表示される保留アイコン表示演出（後述）等を用いて行われる。この事前判定に基づく事前判定演出により、事前判定演出に係る事前判定に対応する保留球に関して、その後に特別図柄処理による乱数の判定が行われた際の判定結果が遊技者に示唆される。これによって、遊技者は、保留球に対して期待を抱きながら遊技を行うことができる。
【００７５】
そして、遊技制御部２００は、保留数Ｕ１の値を１加算する（Ｓ９０５）。
この後、遊技制御部２００は、事前判定結果を演出制御部３００に通知するために、Ｓ９０４の事前判定処理による事前判定情報を含む事前判定結果コマンドをＲＡＭ２０３にセットする（Ｓ９０６）。
さらに、遊技制御部２００は、Ｓ９０５による保留数Ｕ１の増加を演出制御部３００に通知するための保留数増加コマンドをＲＡＭ２０３にセットし（Ｓ９０７）、第１始動口１２１における入賞に対する処理を終了する。
【００７６】
次に、第２始動口１２２における入賞に対する処理が行われる。図９を参照すると、次に遊技制御部２００は、第２始動口１２２に遊技球が入賞して第２始動口スイッチ２１２がＯＮとなったか否かを判断する（Ｓ９０８）。第２始動口スイッチ２１２がＯＮとなったならば、次に、遊技制御部２００は、第２始動口１２２の入賞における未変動分の保留数Ｕ２が上限値未満か否かを判断する（Ｓ９０９）。図９に示す例では、上限値を４個としている。保留数Ｕ２が上限値に達している場合は（Ｓ９０９でＮｏ）、それ以上未変動分の入賞を保留することができないので、第２始動口１２２における入賞に対する処理を終了する。
【００７７】
一方、保留数Ｕ２が上限値未満である場合（Ｓ９０９でＹｅｓ）、遊技制御部２００の乱数取得部２３１は、今回の入賞による抽選のための乱数値を取得し、ＲＡＭ２０３に格納する（Ｓ９１０）。ここでは、第２始動口１２２の入賞なので、上記のＳ９０３と同様に、特別図柄抽選のための乱数値（大当たり乱数値、大当たり図柄乱数値）、リーチ乱数値、変動パターン乱数値など）が取得される。このとき取得される乱数値は、Ｓ８０１の乱数更新処理で更新された値である。そして、この乱数値により後の特別図柄処理において特別図柄抽選の結果が確定される。
【００７８】
次に、遊技制御部２００は、事前判定処理を行う（Ｓ９１１）。この事前判定処理の内容は、上記のＳ９０４と同様である。
そして、遊技制御部２００は、保留数Ｕ２の値を１加算する（Ｓ９１２）。
この後、遊技制御部２００は、事前判定結果を演出制御部３００に通知するために、Ｓ９１１の事前判定処理による事前判定情報を含む事前判定結果コマンドをＲＡＭ２０３にセットする（Ｓ９１３）。
さらに、遊技制御部２００は、Ｓ９１２による保留数Ｕ２の増加を演出制御部３００に通知するための保留数増加コマンドをＲＡＭ２０３にセットし（Ｓ９１４）、第２始動口１２２における入賞に対する処理を終了する。
【００７９】
〔遊技制御部による特別図柄処理〕
図１０は、図８のＳ８０３に示した図柄処理のうちの特別図柄処理の内容を示すフローチャートである。
この特別図柄処理において、遊技制御部２００の特別図柄変動制御部２３３は、まず、ＲＡＭ２０３においてセットされるフラグの設定（以下、フラグ設定）において大当たり遊技フラグがＯＮになっているか否かを調べる（Ｓ１１０１）。ここで、大当たり遊技フラグは、特別図柄抽選の結果が大当たりであることを識別するためにセットされるフラグである。大当たりの種類に応じて、長当たり遊技フラグ、短当たり遊技フラグの何れかがセットされる。本実施の形態では、これらを総称して大当たり遊技フラグと呼ぶ。
【００８０】
大当たり遊技フラグがＯＮである場合、既にパチンコ遊技機１００は大当たり中であるので、特別図柄変動を開始することなく特別図柄処理を終了する（Ｓ１１０１でＹｅｓ）。一方、大当たり遊技フラグがＯＦＦである場合（Ｓ１１０１でＮｏ）、次に特別図柄変動制御部２３３は、パチンコ遊技機１００の現在の状態が特別図柄変動中か否かを判断する（Ｓ１１０２）。特別図柄変動中でない場合（Ｓ１１０２でＮｏ）、次に特別図柄変動制御部２３３は、特別図柄の未変動分の保留数Ｕ１、Ｕ２（図９参照）に関する処理を行う（Ｓ１１０３〜Ｓ１１０６）。本実施の形態では、第１始動口１２１の入賞に係る保留数Ｕ１と第２始動口１２２の入賞に係る保留数Ｕ２とを区別しているので、この処理も対応する始動口ごとに個別に行う。
【００８１】
具体的には、特別図柄変動制御部２３３は、まず第２始動口１２２の入賞に係る保留数Ｕ２が１以上か判断する（Ｓ１１０３）。保留数Ｕ２が１以上である場合（Ｓ１１０３でＹｅｓ）、特別図柄変動制御部２３３は、保留数Ｕ２の値を１減算する（Ｓ１１０４）。一方、保留数Ｕ２＝０である場合は（Ｓ１１０３でＮｏ）、特別図柄変動制御部２３３は、次に第１始動口１２１の入賞に係る保留数Ｕ１が１以上か判断する（Ｓ１１０５）。保留数Ｕ１が１以上である場合（Ｓ１１０５でＹｅｓ）、特別図柄変動制御部２３３は、保留数Ｕ１の値を１減算する（Ｓ１１０６）。一方、保留数Ｕ１＝０である場合は（Ｓ１１０５でＮｏ）、特別図柄の抽選を始動するための入賞が無いことを意味するため、特別図柄変動を開始せず、別ルーチンの客待ち設定処理を実行して処理を終了する（Ｓ１１１６）。
なお、本実施の形態では、第２始動口１２２の入賞に係る保留数Ｕ２に関する処理を優先させて行った。すなわち、保留数Ｕ２が１以上である場合は保留数Ｕ２に関する処理を行い、保留数Ｕ２＝０である場合に保留数Ｕ１に関する処理を行っている（Ｓ１１０３〜Ｓ１１０６参照）。これに対し、第１始動口１２１と第２始動口１２２のどちらの入賞かに関わらず、入賞した順に保留数Ｕ１、Ｕ２を減算していくような制御とすることも可能である。
【００８２】
Ｓ１１０４またはＳ１１０６で保留数Ｕ１または保留数Ｕ２を減算した後、特別図柄変動制御部２３３は、ＲＡＭ２０３のフラグ設定においてセットされた客待ちフラグをＯＦＦとする（Ｓ１１０７）。客待ちフラグは、パチンコ遊技機１００が客待ち状態であることを識別するためのフラグである。
【００８３】
次に、特別図柄変動制御部２３３は、上述した大当たり判定処理および変動パターン選択処理を実行する（Ｓ１１０８、Ｓ１１０９）。大当たり判定処理および変動パターン選択処理によって、第１特別図柄表示器２２１、第２特別図柄表示器２２２に変動表示される特別図柄の変動用の設定情報（大当たり図柄、遊技状態、変動パターン等）が決定される。なお、これらの情報は演出制御部３００に送られる変動開始コマンドに含まれる。
【００８４】
この後、特別図柄変動制御部２３３は、大当たり判定処理および変動パターン選択処理で決定された設定内容に基づき、図２に示す第１特別図柄表示器２２１、第２特別図柄表示器２２２により表示される特別図柄の変動を開始する（Ｓ１１１０）。そして、この設定内容を示す設定情報（大当たり図柄、遊技状態、変動パターン等）を含んだ変動開始コマンドを生成し、ＲＡＭ２０３にセットする（Ｓ１１１１）。Ｓ１１１１でセットされた変動開始コマンドは、図８のＳ８０６に示した出力処理で演出制御部３００へ送信される。
【００８５】
Ｓ１１０２で特別図柄変動中と判断された場合（Ｓ１１０２でＹｅｓ）、またはＳ１１１１で変動開始コマンドがセットされた後、特別図柄変動制御部２３３は、変動時間を経過したか否かを判断する（Ｓ１１１２）。すなわち、Ｓ１１１０で特別図柄の変動を開始してからの経過時間がＳ１１０９の変動パターン選択処理で設定された変動時間に達したか否かが判断される。変動時間を経過していなければ（Ｓ１１１２でＮｏ）、特別図柄変動が継続されるので、そのまま特別図柄処理が終了する。
【００８６】
一方、変動時間を経過した場合（Ｓ１１１２でＹｅｓ）、特別図柄変動制御部２３３は、まず、第１特別図柄表示器２２１、第２特別図柄表示器２２２における特別図柄の変動をＳ１１０８の大当たり判定処理で決定された図柄で停止する（Ｓ１１１３）。後述する装飾図柄を停止させるための変動停止コマンドをＲＡＭ２０３にセットする（Ｓ１１１４）。そして、特別図柄変動制御部２３３は、別ルーチンの停止中処理を実行する（Ｓ１１１５）。停止中処理において、特別図柄変動制御部２３３は、大当たり判定処理の判定結果に基づいて、大当たりしたか否か、小当たりしたか否かを判断する。そして、特別図柄変動制御部２３３は、大当たりした場合には、オープニング動作を開始し、オープニング動作における演出を行うためのオープニングコマンドをＲＡＭ２０３にセットする。他方、特別図柄変動制御部２３３は、小当たりした場合には、小当たり遊技を開始する。Ｓ１１１４でセットされた変動停止コマンドおよび停止中処理でセットされたオープニングコマンドは、図８のＳ８０６に示した出力処理で演出制御部３００へ送信される。
【００８７】
〔遊技制御部による変動パターン選択処理〕
図１１は、変動パターン選択処理（図１０のＳ１１０９）の内容を示すフローチャートである。
この変動パターン選択処理において、遊技制御部２００の変動パターン選択部２３５は、まず、パチンコ遊技機１００の遊技状態（時短無状態か時短状態か、および高確率状態か低確率状態か）を参照する（Ｓ１３０１）。そして、大当たり判定処理の判断結果を用いて今回の特別図柄抽選で大当たりしたか否かを判断する（Ｓ１３０２）。そして、大当たりだった場合（Ｓ１３０２でＹｅｓ）、変動パターン選択部２３５は、大当たり用の変動パターンテーブルをＲＯＭ２０２から読み出してＲＡＭ２０３にセットする（Ｓ１３０３）。
【００８８】
一方、大当たりしなかった場合（Ｓ１３０２でＮｏ）、次に変動パターン選択部２３５は、遊技者に大当たりを期待させるためのいわゆるリーチ演出を行うか否かを決定するための乱数値の判定を行う（Ｓ１３０４）。リーチ演出を行うか否かは、図９のＳ９０３またはＳ９１０で取得したリーチ乱数の値が予め設定された値と一致したか否かを判断することによって決定される。
乱数値を用いた判定の結果、リーチ演出を行う場合（Ｓ１３０５でＹｅｓ）、変動パターン選択部２３５は、リーチ用の変動パターンテーブルをＲＯＭ２０２から読み出してＲＡＭ２０３にセットする（Ｓ１３０６）。また、リーチ演出を行わない場合（Ｓ１３０５でＮｏ）、変動パターン選択部２３５は、はずれ用の変動パターンテーブルをＲＯＭ２０２から読み出してＲＡＭ２０３にセットする（Ｓ１３０７）。
ここで、変動パターンテーブルとは、予め用意されている複数の変動パターン（変動時間３秒、７秒、１３秒、１５秒、３０秒、６０秒、９０秒など）と変動パターン乱数の値とを対応付けたテーブルである。
【００８９】
次に、変動パターン選択部２３５は、図９のＳ９０３またはＳ９１０で取得した変動パターン乱数値およびＳ１３０３、Ｓ１３０６、Ｓ１３０７でセットされた変動パターンテーブルを用いて、変動パターン乱数値の判定を行う（Ｓ１３０８）。すなわち、変動パターン選択部２３５は、ＲＡＭ２０３にセットされた変動パターンテーブルを参照し、変動パターン乱数の乱数値に応じた変動パターンを選択する。従って、同じ乱数値が取得された場合でも、パチンコ遊技機１００の遊技状態（時短状態か時短無状態か、および高確率状態か低確率状態か）、特別図柄抽選の結果（大当たりしたか否か、大当たりしていない場合はリーチ演出を行うか否か）等の違いに応じて参照される変動パターンテーブルが異なるので、決定される変動パターンが異なる。
【００９０】
この後、変動パターン選択部２３５は、Ｓ１３０８で選択した変動パターンを設定情報としてＲＡＭ２０３にセットする（Ｓ１３０９）。Ｓ１３０９でセットされた変動パターンの設定情報は、図１０のＳ１１１１でセットされる変動開始コマンドに含まれ、図８のＳ８０６に示した出力処理で演出制御部３００へ送信される。
【００９１】
〔変動パターンの設定例〕
次に、図１１に示した変動パターン選択処理において用いられる変動パターンとテーブルの設定例について説明する。
図１２は、図１１に示した変動パターン選択処理において用いられる変動パターンとテーブルの設定例を示す図である。なお、図１２には、第１始動口１２１に遊技球が入賞した場合であって、遊技状態が低確率時短無遊技状態もしくは高確率時短無遊技状態の場合に選択される設定例を示している。
【００９２】
なお、本実施の形態では、図示を省略しているが、変動パターン選択処理に用いられる変動パターンの設定として、遊技状態が低確率時短遊技状態もしくは高確率時短遊技状態の場合に選択される変動パターンも存在する。そして、それらの変動パターンを選択する際に参照される時短状態用の変動パターンテーブルが設けられており、時短無状態用の変動パターンテーブルとは異なる設定内容となっている。さらに、第２始動口１２２に遊技球が入賞する場合に関して、変動パターン選択処理において選択される変動パターンの設定のテーブルが個別に設けられてもよいし、第１始動口１２１に遊技球が入賞した場合に参照するテーブルを共用して参照するようにしてもよい。
【００９３】
図１２に示すように、変動パターンＡ〜Ｄは、特別図柄抽選の判定結果が大当たりの場合（図１１のＳ１３０２でＹｅｓの場合）に選択される変動パターンである。また、変動パターンＥ〜Ｈは、特別図柄抽選の判定結果がはずれであってリーチ演出が行われる場合（図１１のＳ１３０５でＹｅｓの場合）に選択される変動パターンである。そして、変動パターンＩ〜Ｋは、特別図柄抽選の判定結果がはずれであってリーチ演出が行われない場合（図１１のＳ１３０５でＮｏの場合）に選択される変動パターンとして設定されている。なお、特別図柄抽選の判定結果が大当たりのときの変動パターンＡ〜Ｄが選択される場合においてはリーチ演出の有無は参照されない。
【００９４】
図１２に示す例では、特別図柄抽選の判定結果が大当たりであった場合（図１１のＳ１３０２でＹｅｓの場合）の変動パターンとして、４種類の変動パターンＡ〜Ｄが設定されている。また、特別図柄抽選の判定結果がはずれ（図１１のＳ１３０２でＮｏの場合）であった場合の変動パターンとして、７種類の変動パターンＥ〜Ｋが設定されている。変動時間は、変動パターンＡが９０秒、変動パターンＢが６０秒、変動パターンＣが３０秒、変動パターンＤが１５秒、変動パターンＥが９０秒、変動パターンＦが６０秒、変動パターンＧが３０秒、変動パターンＨが１５秒、変動パターンＩが１３秒、変動パターンＪが７秒、変動パターンＫが３秒にそれぞれ設定されている。
【００９５】
また、図１２に示すように、乱数（変動パターン乱数）の値の範囲は、何れも０〜２４９の２５０個である。
そして、特別図柄抽選の判定結果が大当たりであった場合において、変動パターンＡには、１００個の乱数値が割り当てられ、１００／２５０の確率で９０秒の変動時間が設定される。また、変動パターンＢには、７５個の乱数値が割り当てられ、７５／２５０の確率で６０秒の変動時間が設定される。さらに、変動パターンＣには、５０個の乱数値が割り当てられ、５０／２５０の確率で３０秒の変動時間が設定される。そして、変動パターンＤには、２５個の乱数値が割り当てられ、２５／２５０の確率で１５秒の変動時間が設定される。
つまり、特別図柄抽選の判定結果が大当たりであった場合に選択される変動パターンＡ〜Ｄのうち、最も高い割合で変動パターンＡが選択され、次に高い割合で変動パターンＢが選択され、次に高い割合で変動パターンＣが選択され、最も低い割合で変動パターンＤが選択されるように設定することができる。そして、大当たりに当選した場合、比較的長い時に亘っての変動演出が実行されやすくなっている。
【００９６】
また、特別図柄抽選の判定結果がはずれであってリーチ有り演出が行われる場合、変動パターンＥには、２５個の乱数値が割り当てられ、２５／２５０の確率で９０秒の変動時間が設定される。また、変動パターンＦには、５０個の乱数値が割り当てられ、５０／２５０の確率で６０秒の変動時間が設定される。さらに、変動パターンＧには、７５個の乱数値が割り当てられ、７５／２５０の確率で３０秒の変動時間が設定される。そして、変動パターンＨには、１００個の乱数値が割り当てられ、１００／２５０の確率で１５秒の変動時間が設定される。
つまり、特別図柄抽選の判定結果がはずれであってリーチ有り演出が行われる場合に選択される変動パターンＥ〜Ｈのうち、最も高い割合で変動パターンＨが選択され、次に高い割合で変動パターンＧが選択され、次に高い割合で変動パターンＦが選択され、最も低い割合で変動パターンＥが選択されるように設定することができる。そして、はずれであってリーチ有り演出が行われる場合には、比較的短い時間に亘っての変動演出が実行されやすくなっている。
【００９７】
そして、特別図柄抽選の判定結果がはずれであってリーチ無し演出が行われる場合、変動パターンＩ〜Ｋには、２５０個の乱数値が割り当てられる。そして、変動パターンＩは保留数が０個であるとき、変動パターンＪは保留数が１または２個であるとき、変動パターンＫは保留数が３個または４個であるときに、それぞれ選択される変動パターンとして設定されている。すなわち、はずれであってリーチ無し演出が行われる場合、特別図柄抽選における判定の保留数が多いほど、図柄変動の平均時間が短くなるように設定されている。
【００９８】
遊技制御部２００は、遊技球が始動口１２１、１２２に入賞した際に取得した変動パターン乱数値（図９のＳ９０３、Ｓ９１０参照）と、パチンコ遊技機１００の遊技状態、リーチ演出の有無、保留数等の条件とに基づいて特別図柄の変動パターンを決定する。そして、決定された特別図柄の変動パターンの情報は、変動開始コマンドに含まれて、遊技制御部２００から演出制御部３００へ送られる。演出制御部３００では、後述するように、特別図柄変動時の演出として、変動開始コマンドに含まれる変動パターンの情報に基づいて特定される変動時間に対応する（その変動時間で実行可能な）演出が選択されて実行される。
【００９９】
〔事前判定に基づく事前判定演出を行うための遊技制御部のＲＡＭおよび演出制御部のＲＡＭの構成〕
続いて、事前判定に基づく事前判定演出を実行するための、本実施の形態における遊技制御部２００のＲＡＭ２０３および演出制御部３００のＲＡＭ３０３の構成について説明する。
図１３は、本実施の形態に係る遊技制御部２００のＲＡＭ２０３（図３参照）の構成例を説明するブロック図である。図１３（ａ）は、記憶領域２０４の構成を示すブロック図であり、図１３（ｂ）は、図１３（ａ）に示す記憶部の各々の構成を示すブロック図である。
【０１００】
図１３（ａ）に示すように、ＲＡＭ２０３は、大当たり乱数抽選により取得した大当たり乱数を記憶する特別図柄保留記憶領域としての記憶領域２０４を備えている。この記憶領域２０４は、第１始動口１２１の保留数と第２始動口１２２の保留数の最大値に対応する８つの記憶部を有している（各保留数の上限値が４の場合）。具体的に説明すると、記憶領域２０４は、第１記憶部２０４ａ、第２記憶部２０４ｂ、第３記憶部２０４ｃ、第４記憶部２０４ｄ、第５記憶部２０４ｅ、第６記憶部２０４ｆ、第７記憶部２０４ｇ、第８記憶部２０４ｈを有している。
【０１０１】
また、図１３（ｂ）に示すように、これらの記憶部２０４ａ〜２０４ｈの各々は、入賞した始動口（第１始動口１２１または第２始動口１２２）の別を表す情報が記憶される領域と、取得された大当たり乱数が記憶される領域と、図柄乱数が記憶される領域と、リーチ乱数が記憶される領域と、変動パターン乱数が記憶される領域と、を有する。すなわち、記憶部２０４ａ〜２０４ｈの各々には、大当たり乱数、図柄乱数、リーチ乱数および変動パターン乱数が記憶される。
【０１０２】
ここで、各乱数は、第１記憶部２０４ａから順に記憶していく。より具体的に説明すると、例えば、第１記憶部２０４ａ〜第８記憶部２０４ｈの何れにも乱数が記憶されていないときには、取得した乱数が第１記憶部２０４ａに記憶されることになる。また、例えば、第１記憶部２０４ａ〜第４記憶部２０４ｄに乱数がすでに記憶されているときには、取得した乱数が第５記憶部２０４ｅに記憶されることになる。
【０１０３】
図１４は、本実施の形態に係る演出制御部３００のＲＡＭ３０３（図３参照）の構成例を説明するブロック図である。図１４（ａ）は、保留記憶領域３０５、３０６の構成を示すブロック図であり、図１４（ｂ）は、図１４（ａ）に示す記憶部の各々の構成を示すブロック図である。
図１４（ａ）に示すように、ＲＡＭ３０３は、保留球が保留されている状況を記憶する保留状況記憶領域としての第１保留記憶領域３０５および第２保留記憶領域３０６を備えている。この第１保留記憶領域３０５および第２保留記憶領域３０６は、第１始動口１２１への入賞に対する保留および第２始動口１２２への入賞に対する保留にそれぞれ対応しており、各々４つの記憶部を有している。具体的には、第１保留記憶領域３０５は、第１記憶部３０５ａ、第２記憶部３０５ｂ、第３記憶部３０５ｃ、第４記憶部３０５ｄを有している。また、第２保留記憶領域３０６は、第１記憶部３０６ａ、第２記憶部３０６ｂ、第３記憶部３０６ｃ、第４記憶部３０６ｄを有している。
【０１０４】
また、図１４（ｂ）に示すように、これらの記憶部３０５ａ〜３０５ｄ、３０６ａ〜３０６ｄの各々は、保留フラグをＯＮ／ＯＦＦする保留フラグ記憶領域と、報知フラグをＯＮ／ＯＦＦする報知フラグ記憶領域と、を有している。
保留フラグは、各記憶部３０５ａ〜３０５ｄ、３０６ａ〜３０６ｄごとに保留球の有無を識別するためのフラグである。すなわち、例えば第１始動口１２１への入賞による保留数が３である場合、第１〜３記憶部３０５ａ、３０５ｂ、３０５ｃの３つの保留フラグ記憶領域において、保留フラグがＯＮとなる。
【０１０５】
報知フラグは、個々の保留球に関して事前判定結果に基づいて事前判定演出を行うか否かを設定するためのフラグである。本実施の形態のパチンコ遊技機１００では、演出制御部３００において、遊技状態や演出の状況に応じて事前判定結果に基づく予告演出を行うか否かを設定可能としている。そこで、予告演出を行う場合には報知フラグをＯＮとし、予告演出を行わない場合には報知フラグをＯＦＦとする。例えば上記３つの保留球のうち３番目の保留球に対して予告演出を行う場合は、第３記憶部３０５ｃの報知フラグ記憶領域において、報知フラグがＯＮとなる。
【０１０６】
なお、本実施の形態において、報知フラグをＯＮに設定するかＯＦＦに設定するかの決定は、事前判定結果に基づく事前判定演出を行うか否かを決定するための乱数値の判定結果に基づいて行うようにしている。特に、本実施の形態においては、変動時間が比較的長い変動パターン（例えば、変動パターンＡ，Ｂ，Ｃ，Ｅ，Ｆ，Ｇ）の場合には、報知フラグがＯＮになる割合が高められている。一方で、変動時間が比較的短い変動パターン（例えば、変動パターンＤ，Ｈ，Ｉ，Ｊ，Ｋ）の場合には、報知フラグがＯＮになる割合が低くなっている。
【０１０７】
すなわち、ＲＡＭ２０３およびＲＡＭ３０３は、遊技制御部２００および演出制御部３００において、所定数を限度として所定の始動条件の成立に基づく始動情報である保留情報を記憶する記憶手段として機能する。また、遊技制御部２００は、この始動情報である保留情報に基づいて、この始動情報に対応する前記始動条件の成立を契機とする特別図柄判定部２３４の判定が行われる前に、特別遊技状態に移行するか否かに関する事前判定処理を行う事前判定手段である。演出制御部３００は、事前判定結果を予告（示唆）するための事前判定演出を行う演出制御手段である。
【０１０８】
また、特に図示しないが、図１３（ａ）に示した構成とは別に、ＲＡＭ２０３は、事前判定情報が記憶される領域（以下、事前判定情報格納領域）を有する。事前判定情報とは、上記の各乱数に基づく事前判定処理（図９のＳ９０４、Ｓ９１１参照）によって得られた情報である。事前判定情報の内容は、特別図柄処理（図１０参照）における各種の判定結果として得られる情報と同様であり、具体的には、大当たりしたか否か（および小当たりしたか否か）、大当たりであった場合にはその大当たりの種類、演出の内容はリーチ有り演出であるのかリーチ無し演出であるのか、変動パターン（変動時間）の内容といったことを示すための情報である。事前判定情報格納領域に格納された事前判定情報は、事前判定処理が行われた入賞球（保留球）に対応する保留に関する情報（以下、保留情報）と共に、あるいはこの保留情報とは別に独自のタイミングで、事前判定結果コマンドに含められて遊技制御部２００から演出制御部３００へ送られる。
【０１０９】
〔事前判定処理〕
次に、事前判定処理（図９のＳ９０４、Ｓ９１１参照）について詳細に説明する。
本実施の形態における事前判定処理では、遊技制御部２００では、上述した乱数の構成例と同様の乱数テーブルを用いて以下のとおり事前判定を行う。
【０１１０】
図１５は、本実施の形態に係る事前判定処理（図９のＳ９０４、Ｓ９１１）の内容を示すフローチャートである。
図１５に示すように、遊技制御部２００は、まず、遊技状態が高確率状態か否かを判断し（Ｓ２４０１）、高確率状態であると判断すると（Ｓ２４０１でＹｅｓ）、高確率状態用のテーブルを選択して、大当たり乱数および大当たり図柄乱数の事前判定を行う（Ｓ２４０２）。一方、Ｓ２４０１でＮｏと判断した場合には、低確率状態用のテーブルを選択して、大当たり乱数および大当たり図柄乱数の事前判定を行う（Ｓ２４０３）。
【０１１１】
Ｓ２４０２またはＳ２４０３の大当たり乱数および大当たり図柄乱数の事前判定の後、遊技制御部２００は、遊技状態が時短状態か否かを判断し（Ｓ２４０４）、時短状態であると判断すると（Ｓ２４０４でＹｅｓ）、時短状態用のテーブルを選択して、リーチ乱数の事前判定を行う（Ｓ２４０５）。さらに、時短状態用のテーブルを選択して、変動パターン乱数の事前判定を行う（Ｓ２４０６）。
一方、Ｓ２４０４でＮｏと判断した場合には、時短無状態用のテーブルを選択して、リーチ乱数の事前判定を行う（Ｓ２４０７）。さらに、時短無状態用のテーブルを選択して、変動パターン乱数の事前判定を行う（Ｓ２４０８）。
【０１１２】
この後、遊技制御部２００は、上述のとおり得られた大当たり乱数の事前判定の結果、大当たり図柄乱数の事前判定の結果、リーチ乱数の事前判定の結果、および変動パターンの事前判定の結果を、事前判定情報として事前判定情報格納領域に記憶する（Ｓ２４０９）。さらに、演出制御部３００に事前判定情報を送信するために、事前判定情報を含む事前判定結果コマンドをＲＡＭ２０３にセットする（Ｓ２４１０）。
【０１１３】
ここで、上述の事前判定は、始動口１２１、１２２への遊技球の入賞に応じて取得された乱数値（図９のＳ９０３、Ｓ９１０参照）と、大当たり判定処理で用いられる判定テーブルと同様の構成の判定テーブルとを用いて行った。すなわち、使用する判定テーブルを選択した後の判定自体は、大当たり判定処理における判定と同様である。そこで、本実施の形態では、特別図柄処理（図１０参照）で用いた大当たり判定処理のサブルーチン（図１０のＳ１１０８）を呼び出し、上記の事前判定における乱数の判定を行う。
【０１１４】
このような構成としたことにより、本実施の形態では、事前判定処理における乱数の判定を行うために、大当たり判定処理とは別に乱数を判定する処理機能（サブルーチン）を用意する必要がない。そのため、制御命令の数を削減し、大当たり判定処理および事前判定処理に関するプログラムのサイズの増大を抑制することができる。また、上記のように、事前判定に用いる判定テーブルを大当たり判定で用いる判定テーブルと同様の構成とする場合には、大当たり判定で用いる判定テーブルを事前判定においても用いるようにしても良い。
【０１１５】
また、ここでは特別図柄抽選に関する事前判定（大当たりか否か）についてのみ説明したが、本実施の形態では、特別図柄の変動表示および停止表示を行う際の変動パターンについても、先読み（事前判定）を行う。特別図柄抽選における変動パターンの選択は、始動口１２１、１２２への遊技球の入賞に応じて取得された変動パターン選択用の乱数値（図９のＳ９０３、Ｓ９１０参照）と変動パターンテーブル（図１２参照）とを用いて行われる（図１０のＳ１１０９および図１１参照）。従って、変動パターンの先読みにおいても、入賞時に取得した変動パターン選択用の乱数値と、特別図柄処理の変動パターン選択処理で用いた変動パターンテーブルと同様の構成の先読みテーブルを用いて、選択される変動パターンを先読みすることができる。
【０１１６】
この場合、変動パターン選択処理で選択される変動パターンを先読みするために、特別図柄処理（図１０参照）で用いた変動パターン選択処理のサブルーチン（図１０のＳ１１０９および図１１参照）を呼び出して用いることができる。また、変動パターン選択の先読みに用いる先読みテーブルに関しても、特別図柄処理の変動パターン選択処理で用いられる変動パターンテーブルを用いて良い。このように構成すれば、変動パターン選択の先読みに関する制御命令の数を削減し、プログラムのサイズの増大を抑制することができる。
【０１１７】
なお、事前判定処理と特別図柄変動時の大当たり判定処理とを、同様の判定テーブル群を用い同じサブルーチンにて行った場合、各処理の実行時が異なるために、事前判定結果と特別図柄変動時の大当たり判定処理による判定結果とが異なる場合があり得る。すなわち、事前判定処理の実行後、特別図柄変動開始時までにパチンコ遊技機１００の遊技状態（高確率状態か低確率状態か、時短状態か時短無状態か）が変化した場合である。この場合、判定テーブルは遊技状態に応じて異なる種類のものが用いられるため、事前判定処理の実行時と大当たり判定処理の実行時とでは、判定に用いられる具体的な判定テーブルが異なることになる。そのため、始動口１２１、１２２への入賞時に獲得した同一の乱数値を使用しても、事前判定結果と大当たり判定処理の判定結果と異なる場合がある。このような場合、演出制御部３００において、事前判定処理の実行後、特別図柄変動の開始時までに遊技状態が変化する場合は、事前判定結果に基づく演出を不実行とする（禁則）制御等を行っても構わない。
【０１１８】
〔演出制御部の動作〕
次に、演出制御部３００の動作を説明する。
図１６は、演出制御部３００の動作を示すフローチャートである。
演出制御部３００の動作は、図１６（ａ）に示すメイン処理と、図１６（ｂ）に示す割り込み処理とからなる。図１６（ａ）を参照すると、演出制御部３００は、まず起動時に初期設定を行い（Ｓ２５０１）、ＣＴＣ（Counter/Timer Circuit）の周期設定を行った後（Ｓ２５０２）、設定された周期にしたがって、演出制御において用いられる乱数を更新しながら（Ｓ２５０３）、割り込み処理を受け付ける。
【０１１９】
割り込み処理は、Ｓ２５０２で設定された周期にしたがって定期的に行われる。図１６（ｂ）を参照すると、この割り込み処理において、演出制御部３００は、遊技制御部２００からのコマンドを受信してコマンド受信処理を行う（Ｓ２５１１）。このコマンド受信処理において、演出内容（演出パターン）が選択される。また、演出制御部３００は、遊技者による演出ボタン１６１等の操作を受け付けるための演出ボタン処理を行う（Ｓ２５１２）。この後、演出制御部３００は、選択した演出パターンの情報を含むコマンドを画像／音響制御部３１０およびランプ制御部３２０に送信するコマンド送信処理を行う（Ｓ２５１３）。これにより、画像表示部１１４への画像表示や音響出力、可動役物１１５の動作、盤ランプ１１６や枠ランプ１５７の発光等による演出が行われる。
【０１２０】
〔演出制御部によるコマンド受信処理〕
図１７は、コマンド受信処理（図１６（ｂ）のＳ２５１１）の内容を示すフローチャートである。
このコマンド受信処理において、演出制御部３００は、まず、事前判定結果コマンドおよび保留数増加コマンドを受信したか否かを判断する（Ｓ２６０１）。なお、事前判定結果コマンドおよび保留数増加コマンドは、遊技制御部２００において、図９に示した始動口スイッチ処理においてセットされ（Ｓ９０６、Ｓ９０７、Ｓ９１３、Ｓ９１４）、図８に示した出力処理（Ｓ８０６）で演出制御部３００へ送信されたコマンドである。
そして、演出制御部３００は、事前判定結果コマンドおよび保留数増加コマンドを受信したと判断した場合（Ｓ２６０１でＹｅｓ）、ＲＡＭ３０３に保持されている保留数の値を１加算する（Ｓ２６０２）。さらに、演出制御部３００は、事前判定結果コマンドおよび保留数増加コマンドに基づいて、事前演出選択処理を行う（Ｓ２６０３）。なお、事前演出選択処理の内容については後に説明する。
【０１２１】
受信したコマンドが事前判定結果コマンドおよび保留数増加コマンドでない場合（Ｓ２６０１でＮｏ）、演出制御部３００は、受信したコマンドが変動開始コマンドか否かを判断する（Ｓ２６０４）。この変動開始コマンドは、遊技制御部２００において、図１０に示した特別図柄処理においてセットされ（Ｓ１１１１）、図８に示した出力処理（Ｓ８０６）で演出制御部３００へ送信されたコマンドである。
受信したコマンドが変動開始コマンドであった場合（Ｓ２６０４でＹｅｓ）、演出制御部３００は、演出選択処理を実行する（Ｓ２６０５）。また、変動開始コマンドを受信した際は、演出選択処理において用いられる演出制御用の乱数値が取得される。この乱数値は、図１６（ａ）に示すメイン処理のＳ２５０３で定期的に更新される乱数値である。演出選択処理の詳細については後述する。
【０１２２】
受信したコマンドが事前判定結果コマンド、保留数増加コマンドおよび変動開始コマンドでない場合（Ｓ２６０１およびＳ２６０４でＮｏ）、演出制御部３００は、受信したコマンドが変動停止コマンドか否かを判断する（Ｓ２６０６）。この変動停止コマンドは、遊技制御部２００において、図１０に示した特別図柄処理においてセットされ（Ｓ１１１４）、図８に示した出力処理（Ｓ８０６）で演出制御部３００へ送信されたコマンドである。
受信したコマンドが変動停止コマンドであった場合（Ｓ２６０６でＹｅｓ）、演出制御部３００は、変動演出終了中処理を実行する（Ｓ２６０７）。
【０１２３】
受信したコマンドが事前判定結果コマンド、保留数増加コマンド、変動開始コマンドおよび変動停止コマンドでない場合（Ｓ２６０１、Ｓ２６０４およびＳ２６０６でＮｏ）、演出制御部３００は、受信したコマンドが大当たり遊技のオープニング動作を開始するためのオープニングコマンドか否かを判断する（Ｓ２６０８）。このオープニングコマンドは、図１０に示した停止中処理においてセットされ（Ｓ１１１５）、図８に示した出力処理（Ｓ８０６）で演出制御部３００へ送信されたコマンドである。
受信したコマンドがオープニングコマンドであった場合（Ｓ２６０８でＹｅｓ）、演出制御部３００は、大当たり演出選択処理を実行する（Ｓ２６０９）。大当たり演出選択処理の詳細については後述する。
【０１２４】
受信したコマンドが事前判定結果コマンド、保留数増加コマンド、変動開始コマンド、変動停止コマンドおよびオープニングコマンドでない場合（Ｓ２６０１、Ｓ２６０４、Ｓ２６０６およびＳ２６０８でＮｏ）、演出制御部３００は、受信したコマンドが大当たり遊技のエンディング動作を開始するためのエンディングコマンドか否かを判断する（Ｓ２６１０）。このエンディングコマンドは、大入賞口処理においてセットされ、図８に示した出力処理（Ｓ８０６）で演出制御部３００へ送信されたコマンドである。
受信したコマンドがエンディングコマンドであった場合（Ｓ２６１０でＹｅｓ）、演出制御部３００は、エンディング演出選択処理を実行する（Ｓ２６１１）。エンディング演出選択処理の詳細については後述する。
【０１２５】
受信したコマンドが事前判定結果コマンド、保留数増加コマンド、変動開始コマンド、変動停止コマンド、オープニングコマンドおよびエンディングコマンドでない場合（Ｓ２６０１、Ｓ２６０４、Ｓ２６０６、Ｓ２６０８およびＳ２６１０でＮｏ）、次に演出制御部３００は、受信したコマンドが客待ち状態に移行するための客待ちコマンド受信処理を実行する（Ｓ２６１２）。客待ちコマンド受信処理の詳細については後述する。
【０１２６】
図１８（ａ）は、図１７の事前演出選択処理（Ｓ２６０３）の内容を示すフローチャートであり、図１８（ｂ）は、演出選択処理（Ｓ２６０５）の内容を示すフローチャートである。
事前演出選択処理において、演出制御部３００は、まず、遊技制御部２００から受信した事前判定結果コマンドを解析する（Ｓ１８０１）。さらに、演出制御部３００は、遊技制御部２００から受信した保留数増加コマンドを解析する（Ｓ１８０２）。そして、演出制御部３００は、事前判定結果コマンドおよび保留数増加コマンドに基づいて、事前判定演出で用いられる演出パターン（事前判定演出パターン）を選択する（Ｓ１８０３）。
【０１２７】
ここで、事前判定演出パターンとしては、特別図柄処理による乱数の判定結果に基づく変動の開始以前に、その特別図柄処理による乱数の判定結果を予告するような各種の演出パターンを設けることができる。例えば、保留アイコン表示演出や、連続予告演出等の演出を事前判定演出パターンとして設けることができる。本実施の形態では、保留球が発生した際、保留球数を表す表示を、表示器１３０の第１特別図柄保留表示器２１８および第２特別図柄保留表示器２１９に表示する（図２参照）と共に、画像表示部１１４に保留の発生や保留数を表示する保留表示を行う（保留アイコン表示演出）。そこで、この保留アイコン表示演出において、保留表示の表示態様等に事前判定結果を反映させることにより、その保留球に関して、その後に特別図柄処理による乱数の判定が行われた際の判定結果を遊技者に示唆する事前判定演出とすることができる。
【０１２８】
なお、ここでは保留アイコン表示演出を事前判定演出として用いる場合について説明したが、特別図柄処理による乱数の判定結果に基づく変動の開始以前に行われる各種の演出内容に反映させることで、多様な事前判定演出を行うことが可能になる。例えば、画像表示部１１４に表示される演出画像を用いた演出、盤ランプ１１６や枠ランプ１５７の発光による演出、可動役物の動作による演出、楽曲や効果音等の音響出力による演出等を事前判定演出パターンとして設定することができる。
【０１２９】
また、事前判定演出は、事前判定が行われた入賞球（保留球）に対する図柄変動よりも先に行われる他の入賞球に対する図柄変動に伴って実行される。本実施の形態では、保留球は、一つの始動口（第１始動口１２１または第２始動口１２２）につき４個を上限としている（図９参照）。また、第２始動口１２２の保留球の消化を優先するものとする。この場合、例えば、第２始動口１２２のある保留球について事前判定を行ったならば、その保留球についての図柄変動が行われる前に、現在変動中の変動（当該変動と呼ぶ）を含め、最大で４個の入賞球についての図柄変動が行われることとなる。事前判定が行われた保留球に係る事前判定演出において、その保留球についての図柄変動が行われる前に複数回の図柄変動が行われる場合、その複数回の図柄変動にまたがる事前判定演出（以下、連続予告演出と呼ぶ。）を行っても良い。
【０１３０】
そして、演出制御部３００は、加算後の保留数の値と、演出選択処理において選択された事前判定演出パターンの情報とが含まれる保留数コマンドをＲＡＭ３０３にセットする（Ｓ１８０４）。なお、保留数コマンドには、画像／音響制御部３１０のＣＰＵ３１１に対して選択された事前判定演出パターンを通知するために、当該パターンを示す情報が含まれる。ＣＰＵ３１１は保留数コマンドを受信することで、選択された事前判定演出パターンに対応する画像や音響をＶＤＰ３１４に描画、出力処理させるためのディスプレイリスト等の作成を行う。ＶＤＰ３１４は当該ディスプレイリスト等に基づいて、選択された事前判定演出パターンを表すための画像データや音響データをＣＧＲＯＭ３１５やＳＮＤＲＯＭ３１６から読み出して、事前判定演出を画像表示部１１４やスピーカ１５６を用いて表現する。
【０１３１】
演出選択処理において、演出制御部３００は、まず、受信した変動開始コマンドを解析する（Ｓ１８１１）。また、演出制御部３００は、ＲＡＭ３０３の設定からパチンコ遊技機１００の現在のモードフラグを参照し（Ｓ１８１２）、ＲＡＭ３０３に保持されている保留数の値を１減算する（Ｓ１８１３）。そして、演出制御部３００は、変動開始コマンドの解析結果から得られる各種の設定情報（大当たりの種類、大当たり遊技後の遊技状態、変動パターン等の情報）およびモードフラグにより決定される演出モードに基づき、その演出モードで画像表示部１１４に表示する画像による図柄変動の変動演出パターンを選択する（Ｓ１８１４）。
【０１３２】
最後に、演出制御部３００は、選択した演出の実行開始を指示する変動演出開始コマンドをＲＡＭ３０３にセットする（Ｓ１８１５）。なお、変動演出開始コマンドには、ＣＰＵ３１１に対して選択された変動演出パターンを通知するために、当該パターンを示す情報が含まれる。ＣＰＵ３１１は変動演出開始コマンドを受信することで、選択された変動演出パターンに対応する画像や音響をＶＤＰ３１４に描画、出力処理させるためのディスプレイリスト等の作成を行う。ＶＤＰ３１４は当該ディスプレイリスト等に基づいて、選択された変動演出パターンを表すための画像データや音響データをＣＧＲＯＭ３１５やＳＮＤＲＯＭ３１６から読み出して、変動演出を画像表示部１１４やスピーカ１５６を用いて表現する。
【０１３３】
〔演出制御部による事前判定演出パターン選択処理〕
図１９は、事前判定演出パターン選択処理（図１８（ａ）のＳ１８０３）の内容を示すフローチャートである。
事前判定演出パターン選択処理において、演出制御部３００は、まず、パチンコ遊技機１００の遊技状態を参照する（Ｓ３５０１）。そして、時短無状態か否かを判断する（Ｓ３５０２）。そして、時短無状態である場合（Ｓ３５０２でＹｅｓ）、演出制御部３００は、時短無状態用の事前判定演出パターンテーブルをＲＯＭ３０２から読み出してＲＡＭ３０３にセットする（Ｓ３５０３）。一方、時短無状態ではない場合（Ｓ３５０２でＮｏ）、時短状態用の事前判定演出パターンテーブルをＲＯＭ３０２から読み出してＲＡＭ３０３にセットする（Ｓ３５０４）。ここで、事前判定演出パターンテーブルとは、予め用意されている複数の事前判定演出パターンと演出制御用の乱数値とを対応付けたテーブルである。
【０１３４】
次に、演出制御部３００は、事前判定結果コマンドに含まれる変動パターンおよびＳ３５０３、Ｓ３５０４でセットされた事前判定演出パターンテーブルを用いて、乱数値の判定を行う（Ｓ３５０５）。すなわち、演出制御部３００は、ＲＡＭ３０３にセットされた事前判定演出パターンテーブルを参照し、変動パターンおよび乱数値に応じた事前判定演出パターンを選択する。ここで、本実施の形態においては、時短状態と非時短状態とでは実行する演出の内容が異なる。従って、同じ乱数値が取得された場合でも、時短状態か時短無状態か、変動パターン等の違いに応じて参照される事前判定演出パターンテーブルが異なるので、決定される事前判定演出パターンが異なる。
この後、演出制御部３００は、Ｓ３５０５で選択した事前判定演出パターンの設定情報としてＲＡＭ３０３にセットする（Ｓ３５０６）。Ｓ３５０６でセットされた事前判定演出パターンの設定情報は、図１８（ａ）のＳ１８０４でセットされる保留数コマンドに含まれ、図１６のＳ２５１３に示したコマンド送信処理で画像／音響制御部３１０およびランプ制御部３２０へ送信される。
【０１３５】
〔演出制御部による変動演出パターン選択処理〕
図２０は、変動演出パターン選択処理（図１８（ｂ）のＳ１８１４）の内容を示すフローチャートである。
変動演出パターン選択処理において、演出制御部３００は、まず、パチンコ遊技機１００の遊技状態を参照する（Ｓ３６０１）。そして、時短無状態か否かを判断する（Ｓ３６０２）。そして、時短無状態である場合（Ｓ３６０２でＹｅｓ）、演出制御部３００は、時短無状態用の変動演出パターンテーブルをＲＯＭ３０２から読み出してＲＡＭ３０３にセットする（Ｓ３６０３）。一方、時短無状態ではない場合（Ｓ３６０２でＮｏ）、時短状態用の変動演出パターンテーブルをＲＯＭ３０２から読み出してＲＡＭ３０３にセットする（Ｓ３６０４）。ここで、変動演出パターンテーブルとは、予め用意されている複数の変動演出パターンと演出制御用の乱数値とを対応付けたテーブルである。
【０１３６】
次に、演出制御部３００は、変動開始コマンドに含まれる変動パターン、変動開始コマンド受信時に取得した演出制御用の乱数値およびＳ３６０３、Ｓ３６０４でセットされた変動演出パターンテーブルを用いて、乱数値の判定を行う（Ｓ３６０５）。すなわち、演出制御部３００は、ＲＡＭ３０３にセットされた変動演出パターンテーブルを参照し、変動パターンおよび乱数値に応じた変動演出パターンを選択する。従って、同じ乱数値が取得された場合でも、時短状態か時短無状態か、変動パターン等の違いに応じて参照される変動演出パターンテーブルが異なるので、決定される変動演出パターンが異なる。
【０１３７】
この後、演出制御部３００は、Ｓ３６０５で選択した変動演出パターンの設定情報としてＲＡＭ３０３にセットする（Ｓ３６０６）。Ｓ３６０６でセットされた変動演出パターンの設定情報は、図１８（ｂ）のＳ１８１５でセットされる変動演出開始コマンドに含まれ、図１６のＳ２５１３に示したコマンド送信処理で画像／音響制御部３１０およびランプ制御部３２０へ送信される。
【０１３８】
図２１は、演出ボタン処理（図１６（ｂ）のＳ２５１２）の内容を示すフローチャートである。
この演出ボタン処理において、演出制御部３００は、まず遊技者による演出ボタン１６１等の操作手段が操作されたか否かを判断する（Ｓ３７０１）。ここで、操作手段の操作とは、演出ボタン１６１が押下されてＯＮとなること、演出キー１６２の中央キーや周囲キーが押下されてＯＮとなることを含む。また、タッチパネル等、演出ボタン１６１および演出キー１６２以外の操作用デバイスがパチンコ遊技機１００に設けられている場合は、そのデバイスの操作を検知したことを含む。演出制御部３００は、これらのデバイスのコントローラから操作信号を受け付けて、操作が行われたことを検知する。
【０１３９】
演出ボタン１６１等の操作手段が操作されたならば（Ｓ３７０１でＹｅｓ）、演出制御部３００は、操作手段の操作内容を示す情報を含む演出ボタンコマンドをＲＡＭ３０３にセットして演出ボタン処理を終了する（Ｓ３７０２）。
【０１４０】
この後、演出制御部３００は、図１６（ｂ）のコマンド送信処理（Ｓ２５１３）を行って、上記のコマンド受信処理および演出ボタン処理でＲＡＭ３０３にセットされたコマンドを画像／音響制御部３１０およびランプ制御部３２０に送信する。そして、画像／音響制御部３１０およびランプ制御部３２０が、受信したコマンドに基づき、画像表示部１１４への画像表示、音響出力、可動役物１１５の動作、盤ランプ１１６や枠ランプ１５７の発光等を制御して、設定された演出を実行する。
【０１４１】
［変動演出］
次に、演出制御部３００は、遊技状態および変動パターンに基づいて、画像表示部１１４およびスピーカ１５６（図１参照）等を用いて変動演出を実行する。演出制御部３００は、変動演出パターン選択処理によって、変動演出パターンを設定する（図２０のＳ３６０６）。
そして、本実施の形態の変動演出パターンには、画像表示部１１４の画面にて装飾図柄４１を変動表示させて行う演出である装飾図柄変動演出や、後述する変動アイコン５１を表示する変動アイコン表示演出や、装飾図柄４１の背後にステージ画像を表示させるステージ演出などの内容が反映される。
【０１４２】
＜装飾図柄変動演出＞
図２２および図２３は、演出制御部３００が行う装飾図柄変動演出の説明図である。
図２２に示すように、画像表示部１１４には３つの装飾図柄４１が表示される。演出制御部３００は、装飾図柄４１の変動演出において、図２２（ａ）に示すように、３つの装飾図柄４１を例えば縦スクロールにて変動表示させた後、まず、図２２（ｂ）に示すように、左側の装飾図柄４１（例えば数字の「５」）を停止表示させる。次に、図２２（ｃ）に示すように、右側の装飾図柄４１（例えば数字の「３」）を停止表示させる。最後に、図２２（ｄ）に示すように、中央の装飾図柄４１（例えば数字の「６」）を停止表示させる。なお、図２２（ｄ）に示す、停止表示した装飾図柄４１の組み合わせ「５６３」は、特別図柄抽選の抽選結果がはずれの場合の組み合わせの一例である。また、図２２（ａ１）〜図２２（ｄ）に示した装飾図柄４１の変動演出は、リーチ無し演出の一例である。
【０１４３】
演出制御部３００は、リーチ有り演出の場合には、図２２（ｂ）に示すように、左側の装飾図柄４１である数字の「５」を停止表示させた後、図２２（ｅ）右側の装飾図柄４１である数字の「５」を停止表示させ、これら左側および右側の装飾図柄４１を揃えたリーチ状態とする。その後、演出制御部３００は、大当たりに当選していない場合には、図２２（ｆ）に示すように、中央の装飾図柄４１である数字の「６」を停止表示させ、大当たりに当選している場合には、図２２（ｇ）に示すように、中央の装飾図柄４１である数字の「５」を停止表示させる。
以下では、リーチ状態になった後に、後述するＳＰリーチ演出やＳＰ・ＳＰリーチ演出などの発展演出を行うことなく、両側の装飾図柄４１とは異なる装飾図柄４１であって大当たりに当選していないことを示す装飾図柄４１を中央に停止表示させる演出を通常リーチ演出と称す。例えば、通常リーチ演出は、図２２（ａ）→図２２（ｂ）→図２２（ｅ）→図２２（ｆ）と遷移する演出である。
【０１４４】
または、演出制御部３００は、図２２（ｅ）に示すように、右側の装飾図柄４１である「５」を停止表示させ、リーチ状態とした後、図２２（ｈ）に示すように、左側および右側の装飾図柄４１である「５」「５」を画像表示領域の隅へ移動して縮小表示させ、図２２（ｉ）に示すように、発展演出であるＳＰリーチ演出を行う。なお、以下の説明において、ＳＰリーチ演出が行われていることを、ＳＰリーチ画像４２として図示することで表現する。
その後、大当たりに当選していない場合には、ＳＰリーチ演出の終了をもって、図２２（ｊ）に示すように、中央の装飾図柄４１である数字の「６」を停止表示させる。大当たりに当選している場合には、図２２（ｋ）に示すように、中央の装飾図柄４１である数字の「５」を停止表示させる。なお、ＳＰリーチ演出は、基本的に、上述した通常リーチ演出よりも演出時間が長い演出である。
【０１４５】
または、演出制御部３００は、図２３（ａ）に示すように、３つの装飾図柄列を変動開始させた後、図２３（ｂ）に示すように、左側の装飾図柄４１である数字の「５」を停止表示させ、図２３（ｃ）に示すように、右側の装飾図柄４１である数字の「５」を停止表示させ、リーチ状態にした後、図２３（ｌ）に示すように、左側および右側の装飾図柄４１である数字の「５」「５」を画像表示領域の隅へ移動して縮小表示させ、図２３（ｍ）に示すように、発展演出であるスーパー・スーパーリーチ（ＳＰ・ＳＰリーチ）演出を行う。なお、ＳＰ・ＳＰリーチ演出は、基本的に、ＳＰリーチ演出よりも演出時間が長い演出である。なお、以下の説明において、ＳＰ・ＳＰリーチ演出が行われていることを、ＳＰ・ＳＰリーチ画像４３として図示することで表現する。
【０１４６】
または、演出制御部３００は、図２３（ｃ）に示すように、右側の装飾図柄４１である数字の「５」を停止表示させ、リーチ状態とした後、図２３（ｈ）に示すように、左側および右側の装飾図柄４１である数字の「５」「５」を画像表示領域の隅へ移動して縮小表示させ、まず、図２３（ｉ）に示すように、発展演出であるＳＰリーチ演出を行う。そして、ＳＰリーチ演出の終了をもって、図２３（ｊ）に示すように、中央の装飾図柄４１である数字の「６」を仮停止させた後、再始動し、図２３（ｌ）に示すように、左側および右側の装飾図柄４１である数字の「５」「５」を画像表示領域の隅へ移動して縮小表示させ、図２３（ｍ）に示すように、ＳＰ・ＳＰリーチ演出を行う。その後、大当たりに当選していない場合には、図２３（ｎ）に示すように、中央の装飾図柄４１である数字の「６」を停止表示させる。大当たりに当選している場合には、図２３（ｏ）に示すように、中央の装飾図柄４１である数字の「５」を停止表示させる。なお、仮停止とは、装飾図柄４１が一見すると停止しているように見えるが、完全に停止せず例えば装飾図柄４１が僅かに動いている状態のことである。
【０１４７】
なお、他の装飾図柄４１の変動演出として、演出制御部３００は、疑似連続演出（疑似連）を行う場合もある。疑似連続演出は、特別図柄の一変動分の変動表示において、複数回分の装飾図柄４１の変動表示が行われているかのように見せる演出である。疑似連続演出においては、演出制御部３００は、例えば、リーチ状態とする前に、装飾図柄４１を変動させた後、３つの装飾図柄４１を一旦仮停止させ、その後再び装飾図柄４１の変動表示を開始させる。
【０１４８】
（変動演出パターンの設定例）
次に、本実施の形態における、図１２に示した変動パターンに対応づけられる、変動演出パターンの設定例について説明する。
本実施の形態では、変動演出パターンとして、上述したとおり、リーチ無し演出と、通常リーチ演出と、ＳＰリーチ演出と、ＳＰ・ＳＰリーチ演出とが設けられている。これらの変動演出パターンは、変動パターンＡ〜Ｋ（図１２参照）に対応付けられる。
そして、本実施の形態では、変動時間が比較的長い変動パターンＡ、Ｅの場合に、演出時間が比較的長いＳＰ・ＳＰリーチ演出を実行可能に設定している。変動時間が次に長い変動パターンＢ，Ｃ，Ｆ，Ｇの場合に、演出時間が次に長いＳＰリーチ演出を実行可能に設定している。また、演出時間が比較的短い変動パターンＤ，Ｈの場合に、演出時間が比較的短い通常リーチ演出を実行可能にしている。そして、変動パターンＩ，Ｊ，Ｋの場合には、リーチ無し演出が実行されるようにしている。
【０１４９】
ここで、判定結果が大当たりの場合には、９０秒〜１５秒の変動時間（変動パターンＡ〜Ｄ）に設定される。そして、大当たりに当選した場合には、変動時間が長くなるように設定されている。すなわち、変動時間がより長い方が、大当たりの期待度がより高くなるように設定されている。従って、本実施の形態では、リーチ無し演出、通常リーチ演出、ＳＰリーチ演出、ＳＰ・ＳＰリーチ演出の順に、大当たりの期待度が低くなっている。
【０１５０】
なお、本実施の形態では、図示を省略しているが、変動演出パターン選択処理に用いられる変動演出パターンの設定として、遊技状態が低確率時短遊技状態もしくは高確率時短遊技状態の場合に選択される変動演出パターンも存在する。そして、それらの変動演出パターンを選択する際に参照される時短状態用の変動演出パターンテーブルが設けられており、時短無状態用の変動演出パターンテーブルとは異なる設定内容となっている。さらに、第２始動口１２２に遊技球が入賞する場合に関して、変動演出パターン選択処理において選択される変動演出パターンの設定のテーブルが個別に設けられてもよいし、第１始動口１２１に遊技球が入賞した場合に参照するテーブルを共用して参照するようにしても良い。
【０１５１】
＜変動アイコン表示演出＞
図２４は、本実施の形態の変動アイコン表示演出および保留アイコン表示演出の説明図である。
（変動アイコン５１）
保留が無い状態で、第１始動口１２１（図１参照）に遊技球が最初に入賞すると、即時、その最初の入賞に対する変動表示が開始される。そして、図２４に示すように、例えば画面の下側には、特別図柄が変動中（装飾図柄４１の変動表示中）であることを示す変動アイコン５１を表示する。つまり、変動アイコン５１は、特別図柄の変動表示中に、特別図柄の変動表示に係わるアイコンとして、画面に表示される。そして、変動アイコン５１は、特別図柄の変動表示の開始とともに変動アイコン５１が表示される領域（本実施の形態では、画面の中央部下側）に表示開始し、その特別図柄の変動停止とともに表示が消える。
【０１５２】
［事前判定演出］
次に、本実施の形態の事前判定演出について説明する。事前判定演出は、保留数コマンドに基づいて、演出制御部３００が実行する演出である。演出制御部３００は、事前判定演出を実行すると決定した場合には、ＲＡＭ３０３（図１４参照）の報知フラグ記憶領域に報知フラグＯＮを記憶させる。
また、事前判定演出パターンは、事前判定演出パターン選択にて設定される（図１９、Ｓ３５０６参照）。事前判定演出パターンは、事前判定結果の内容や演出乱数値判定の結果などの所定の条件に基づいて決定される。
そして、本実施の形態の事前判定演出パターンには、連続予告演出や、後述する保留アイコン５２を表示する保留アイコン表示演出などの内容が反映される。
なお、以下の説明において、事前判定演出によって事前判定結果を報知する対象となっている保留のことを「報知対象」と呼ぶ。
【０１５３】
＜保留アイコン表示演出＞
変動表示中に、第１始動口１２１（図１参照）に遊技球がさらに入賞することによって保留が発生する。このとき、更なる入賞についての変動表示は、直ぐに開始できないので、大当たり判定の権利として保留される。そして、最初の第１始動口１２１に基づく一の変動表示が終了すると、保留されていた権利に基づいて他の変動表示が、保留された順で行われていく。なお、第２始動口１２２においても同様である。
【０１５４】
（保留アイコン５２）
本実施の形態のパチンコ遊技機１００では、ＲＡＭ３０３における保留球に対応する記憶領域の情報に基づいて、図２４に示すように、画像表示部１１４の画面に保留アイコン５２を表示する。そして、保留アイコン５２は、大当たり判定の権利が保留されていることを示すアイコンである。また、本実施の形態では、画面における保留アイコン５２の表示態様は、事前判定処理による事前判定結果に基づいて決定される。
【０１５５】
具体的には、第１始動口１２１における入賞によって、最大で４つの保留が生じる。そのため、第１始動口１２１における入賞により、画面には、保留アイコン５２も最大で４つ表示される。また、本実施の形態では、複数の保留アイコン５２は、変動アイコン５１に近い位置から遠ざかる位置まで順に、右側から左側に向けて並べて表示される。
なお、以下の説明においては、最大で４つ表示される保留アイコン５２について、変動アイコン５１に近い順に、それぞれ「１番目保留」、「２番目保留」、「３番目保留」、「４番目保留」と呼ぶ。
【０１５６】
また、第２始動口１２２における入賞によっても、最大で４つの保留が生じる。そのため、図示していないが、第２始動口１２２における入賞により、画面には、保留アイコン５２も最大で４つ表示される。また、本実施の形態では、第２始動口１２２における入賞に関わる複数の保留アイコン５２は、変動アイコン５１に近い位置から遠ざかる位置まで順に、左側から右側に向けて並べて表示されるようになっている。
なお、本実施の形態の説明においては、第１始動口１２１における入賞に基づく保留について代表例として詳細に説明を行い、第２始動口１２２における入賞に基づく保留については詳細な説明を省略する。
【０１５７】
そして、保留変化演出は、保留アイコン５２について、報知対象の保留に対応する保留アイコン５２の表示態様を変化させることによって実行する。表示態様の変化としては、保留アイコン５２のデフォルトの表示対象に対して、色を異ならせたり、形状を異ならせたり、点滅表示させたりすることができる。
【０１５８】
＜ステージ演出＞
図２５は、本実施の形態のステージ演出の説明図である。
本実施の形態のパチンコ遊技機１００は、画面にステージ画像（背景画像）を表示させるステージ演出を行う。
なお、ステージ画像は、静止画であっても良く、動画であっても良い。また、本実施の形態では、画像表示部１１４の画面に表示するための画像レイヤに関して、装飾図柄４１、変動アイコン５１および保留アイコン５２を描画する画像レイヤは、背景を描画する画像レイヤよりも上位（遊技者側）に位置している。つまり、装飾図柄４１、保留アイコン５２および変動アイコン５１は、ステージ画像よりも遊技者側である手前側に表示される。
【０１５９】
図２５（ａ）に示すように、ステージ演出では、陸ステージ画像６１を画面に表示する「陸ステージ」を設けている。陸ステージは、陸をテーマにしたものである。そして、陸ステージ画像６１は、陸をテーマとした内容により表現され、装飾図柄４１の背後に表示される。なお、陸ステージにおいて、変動アイコン５１や保留アイコン５２は、陸ステージ画像６１と同様に、陸をテーマとする形状にて表現される。また、陸ステージでは、現在滞在しているステージが陸ステージであることを明示するステージ名画像８１（陸ステージ）が表示される。
【０１６０】
また、図２５（ｂ）に示すように、ステージ演出では、海ステージ画像６２を画面に表示する「海ステージ」を設けている。海ステージは、海をテーマにしたものである。そして、海ステージ画像６２は、海をテーマとした内容により表現され、装飾図柄４１の背後に表示される。なお、海ステージにおいて、変動アイコン５１や保留アイコン５２は、海ステージ画像６２と同様に、海をテーマとする形状にて表現される。また、海ステージでは、現在滞在しているステージが海ステージであることを明示するステージ名画像８１（海ステージ）が表示される。
【０１６１】
そして、図２５（ｃ）に示すように、ステージ演出では、空ステージ画像６３を画面に表示する「空ステージ」を設けている。空ステージは、空をテーマにしたものである。そして、空ステージ画像６３は、空をテーマとした内容により表現され、装飾図柄４１の背後に表示される。なお、空ステージにおいて、変動アイコン５１や保留アイコン５２は、空ステージ画像６３と同様に、空をテーマとする形状にて表現される。また、空ステージでは、現在滞在しているステージが空ステージであることを明示するステージ名画像８１（空ステージ）が表示される。
【０１６２】
なお、以下の説明において、陸ステージ、海ステージおよび空ステージの３つのステージを通常ステージと総称する。また、陸ステージ画像６１、海ステージ画像６２および空ステージ画像６３の３つのステージ画像を通常ステージ画像と総称する。
【０１６３】
さらに、図２５（ｄ）に示すように、ステージ演出では、特別ステージ画像６４を画面に表示する「特別ステージ」を設けている。特別ステージは、宇宙をテーマにしたものである。そして、特別ステージ画像６４は、宇宙をテーマとした内容により表現され、装飾図柄４１の背後に表示される。なお、特別ステージにおいて、変動アイコン５１や保留アイコン５２は、特別ステージ画像６４と同様に、宇宙をテーマとする形状にて表現される。また、特別ステージでは、現在滞在しているステージが特別ステージであることを明示するステージ名画像８１（宇宙ステージ）が表示される。
【０１６４】
以上のように、ステージ演出では、複数のステージが準備されている。そして、パチンコ遊技機１００は、複数のステージのうち、いずれか１つのステージを用いて変動演出を行う。そして、本実施の形態では、所定の条件に基づいて、あるステージからあるステージにステージ移行する「ステージ移行演出」を行う。
【０１６５】
ここで、上述のとおり、本実施の形態のステージ演出では複数のステージが設けられている。そのため、本実施の形態では、事前判定演出の一つである連続予告演出を、ステージに応じて表示内容を異ならせている。そこで、まず、連続予告演出について説明する。その後に、ステージ移行演出の内容について詳細に説明する。
【０１６６】
＜連続予告演出＞
図２６および図２７は、本実施の形態の連続予告演出の説明図である。
本実施の形態の連続予告演出では、報知対象の保留に基づく図柄変動と、少なくとも報知対象の保留に基づく図柄変動の直前に実行される図柄変動とにおいて、所定のカットイン画像を画面に表示する。つまり、本実施の形態の連続予告演出では、所定のカットイン画像が、報知対象の保留に基づく図柄変動を含め、その直前の図柄変動が行われる際にも画面に表示されることで、複数回の変動表示にまたがって連続的に表示される。すなわち、本実施の形態の連続予告演出では、複数の遊技にわたって一連の連続演出を実行可能になっている。
【０１６７】
なお、カットイン画像とは、ステージ画像や装飾図柄４１などの一定時間継続して表示される画像とは別に、短い場面として一時的に画面に表示される画像である。
また、報知対象の保留の前に、最大で３つの保留が存在する場合がある。従って、連続予告演出として、最大で４回の図柄変動にまたがって演出を行うことができる。本実施の形態の連続予告演出では、最大で４回連続してカットイン画像の表示を行うこともできる。
【０１６８】
連続予告演出の実行は、報知対象の大当たりの有無や、大当たり図柄の種類や、変動時間等に基づいて決定される。本実施の形態では、例えば、報知対象の変動時間が比較的長い変動パターン（例えば、変動パターンＡ，Ｂ，Ｃ，Ｅ，Ｆ，Ｇ、図１２参照）が選択された場合に、連続予告演出が実行される確率が高くなっている。一方、本実施の形態では、報知対象の変動時間が比較的短い変動パターン（例えば、変動パターンＤ，Ｈ，Ｉ、図１２参照）の場合に、連続予告演出が実行される確率を低くしている。
なお、本実施の形態において、報知対象の変動時間が短い変動パターン（例えば、変動パターンＪ，Ｋ、図１２参照）である場合には、連続予告演出を実行しない。
【０１６９】
まず、海ステージにて行われる連続予告演出について説明する。
図２６（ａ）に示すように、海ステージでは、海ステージ画像６２が画面に表示される。また、画面には、装飾図柄４１が表示されている。さらに、画面には、海に関わる形状の変動アイコン５１および保留アイコン５２が表示されている。ここで、図２６（ａ）に示す例では、２番目保留が、事前判定演出による報知対象である。
その後、次の装飾図柄４１の変動表示が開始する。ここで、図２６（ｂ）に示すように、装飾図柄４１の変動表示の開始タイミングで、初回のカットイン画像として海カットイン画像７２が表示される。初回の海カットイン画像７２は、海ステージ画像６２と同様のテーマである海に関わる形状で表示される。
さらに、図２６（ｃ）に示すように、装飾図柄４１の変動表示が行われる。そして、図２６（ｄ）に示すように、特別図柄抽選の抽選結果を表す装飾図柄４１で停止表示する。
【０１７０】
その後、報知対象の保留に基づく、次の装飾図柄４１の変動表示が開始する。ここで、図２６（ｅ）に示すように、装飾図柄４１の変動表示の開始タイミングで、２回目のカットイン画像として海カットイン画像７２が表示される。なお、この２回目の海カットイン画像７２は、初回の海カットイン画像７２と同じく、海ステージ画像６２と同様のテーマである海に関わる形状で表示される。
さらに、図２６（ｆ）に示すように、装飾図柄４１の変動表示が行われる。そして、図２６（ｇ）に示す例では、左側の図柄と右側の図柄とが揃ってリーチ状態となり、図２６（ｈ）に示す例では、最終的に３つの装飾図柄４１が揃って図柄が確定する。
【０１７１】
次に、空ステージにて行われる連続予告演出について説明する。
図２７（ａ）に示すように、空ステージでは、空ステージ画像６３が画面に表示される。また、画面には、装飾図柄４１が表示されている。さらに、画面には、空に関わる形状の変動アイコン５１および保留アイコン５２が表示されている。ここで、図２７（ａ）に示す例では、２番目保留が、事前判定演出による報知対象である。
【０１７２】
その後、次の装飾図柄４１の変動表示が開始する。ここで、図２７（ｂ）に示すように、装飾図柄４１の変動表示の開始タイミングで、初回のカットイン画像として空カットイン画像７３が表示される。初回の空カットイン画像７３は、空ステージ画像６３と同様のテーマである空に関わる形状で表示されている。
さらに、図２７（ｃ）に示すように、装飾図柄４１の変動表示が行われる。そして、図２７（ｄ）に示すように、特別図柄抽選の抽選結果を表す装飾図柄４１で停止表示する。
【０１７３】
その後、報知対象の保留に基づく、次の装飾図柄４１の変動表示が開始する。ここで、図２７（ｅ）に示すように、装飾図柄４１の変動表示の開始タイミングで、２回目のカットイン画像として空カットイン画像７３が表示される。なお、この２回目の空カットイン画像７３は、初回の空カットイン画像７３と同じく、空ステージ画像６３と同様のテーマである空に関わる形状で表示される。
さらに、図２７（ｆ）に示すように、装飾図柄４１の変動表示が行われる。そして、図２７（ｇ）に示す例では、ＳＰ・ＳＰリーチが実行された後、図２７（ｈ）に示す例では、最終的に３つの装飾図柄４１が揃わずにはずれとなる。
【０１７４】
以上のように、本実施の形態においては、連続予告演出を行う場合において、ステージに応じて、そのステージに関連するカットイン画像を用いる。例えば、海ステージにおいては、複数回の変動表示をまたいで、海に関わる形状の海カットイン画像７２が連続的に表示される。また、空ステージにおいては、複数回の変動表示をまたいで、空に関わる形状の空カットイン画像７３が表示される。
なお、図示はしていないが、陸ステージや特別ステージにおいても、同様に、複数回の変動表示をまたいで、ステージに関わる形状のカットイン画像が表示される。
【０１７５】
＜ステージ移行演出＞
続いて、ステージ移行演出について詳細に説明する。
ステージ移行演出には、特別ステージにステージ移行する「特別ステージ演出」と、通常ステージへのステージ移行を行う「通常ステージ演出」とが設けられている。そして、通常ステージ演出には、遊技者の操作によって選択された選択ステージへのステージ移行を行う「選択ステージ演出」と、遊技者の操作ではなく演出制御部３００にて判定された判定ステージへのステージ移行を行う「判定ステージ演出」とが設けられている。
【０１７６】
そして、本実施の形態では、特別ステージ演出、選択ステージ演出および判定ステージ演出によって、ステージの候補が決定される。各ステージ演出にて決定される候補のステージのうち一のステージは、後述するステージ設定処理によって、次の図柄変動にて用いられる「次変動ステージ」として設定される。
また、本実施の形態において、次変動ステージとしての採用には、優先順位が設けられている。すなわち、特別ステージ演出にて決定される特別ステージは、次変動ステージとして最優先で設定される。次に、選択ステージ演出にて決定される選択ステージは、次変動ステージとして、判定ステージ演出により決定される判定ステージよりも優先される。
【０１７７】
そして、次変動ステージは、後述するステージ設定処理によって設定され、次変動ステージを指定するコマンド（以下、ステージ指定コマンド）としてＲＡＭ３０３（図４参照）に記憶される。そして、ＲＡＭ３０３に記憶されたステージ指定コマンドは、変動演出パターン設定（図２０のＳ３６０６参照）にてステージ画像を選択する際に参照される。
【０１７８】
ここで、本実施の形態において、選択ステージ演出において選択ステージとして決定可能なステージ（陸ステージ、海ステージおよび空ステージ）は、判定ステージ演出において決定され得るステージと共通になっている。なお、本実施の形態では、特別ステージ演出で用いられる特別ステージは、選択ステージ演出において、遊技者が選択できないようになっている。
【０１７９】
図２８は、本実施の形態のステージ演出のステージ設定処理のフロー図である。
ＲＡＭ３０３の記憶領域を参照して、特別ステージ演出により設定される特別ステージ移行フラグ（後述）がＯＮになっているか否かを判断する（Ｓ２８０１）。そして、特別ステージ移行フラグがＯＮである場合（Ｓ２８０１でＹｅｓ）、特別ステージ演出により決定された特別ステージを次変動ステージとして設定する（Ｓ２８０２）。具体的には、ステージ指定コマンドに、特別ステージ画像６４の描画を指定する内容を含めて、ステージ指定コマンドをＲＡＭ３０３に記憶する。
【０１８０】
一方、特別ステージ移行フラグがＯＦＦである場合（Ｓ２８０１でＮｏ）、ＲＡＭ３０３の記憶領域を参照して、選択ステージ演出により設定される選択ステージ移行フラグ（後述）がＯＮになっているか否かを判断する（Ｓ２８０３）。そして、選択ステージ移行フラグがＯＮである場合（Ｓ２８０３でＹｅｓ）、選択ステージ演出により決定された選択ステージを次変動ステージとして設定する（Ｓ２８０４）。具体的には、ステージ指定コマンドに、通常ステージのうちから選択された一の通常ステージ（選択ステージ）の描画を指定する内容を含めて、ステージ指定コマンドをＲＡＭ３０３に記憶する。
【０１８１】
そして、選択ステージ移行フラグがＯＦＦである場合（Ｓ２８０３でＮｏ）、ＲＡＭ３０３の記憶領域を参照して、判定ステージ演出により設定される判定ステージ移行フラグ（後述）がＯＮになっているか否かを判断する（Ｓ２８０５）。そして、判定ステージ移行フラグがＯＮである場合（Ｓ２８０５でＹｅｓ）、判定ステージ演出により決定された判定ステージを次変動ステージとして設定する（Ｓ２８０６）。具体的には、ステージ指定コマンドに、通常ステージのうちから判定された一の通常ステージ（判定ステージ）の描画を指定する内容を含めて、ステージ指定コマンドをＲＡＭ３０３に記憶する。
【０１８２】
一方、判定ステージ移行フラグがＯＦＦである場合（Ｓ２８０５でＮｏ）、現在の変動表示にて用いられているステージ、あるいは、変動停止中であれば、前回の変動表示にて用いられていたステージである前回ステージを、次変動ステージとして設定する（Ｓ２８０７）。具体的には、ステージ指定コマンドに、通常ステージのうちの一の通常ステージ（前回ステージ）の描画を指定する内容を含めて、ステージ指定コマンドをＲＡＭ３０３に記憶する。
【０１８３】
そして、Ｓ２８０２にて特別ステージが次変動ステージに設定されるか、Ｓ２８０４にて選択ステージが次変動ステージに設定されるか、Ｓ２８０６にて判定ステージが次変動ステージに設定された場合には、何れかひとつのステージ画像が表示されてからの変動表示の回数であるステージ滞在回数の値をゼロにリセットする（Ｓ２８０８）。その後、ステージ滞在回数の値を１加算する（Ｓ２８０９）。
また、Ｓ２８０７にて前回ステージが選択された場合には、その後に、Ｓ２８０９にてステージ滞在回数の値を１加算する。
【０１８４】
以上のとおり、本実施の形態のステージ設定処理では、次の変動表示にて用いられるステージを設定する処理を行う。また、ステージ設定処理では、ステージの設定に伴って、ステージ滞在回数を計数する処理も行う。
【０１８５】
〔判定ステージ演出〕
図２９は、本実施の形態の判定ステージ演出のフローである。
本実施の形態の判定ステージ演出では、ステージ滞在回数およびステージ移行抽選によって、判定ステージの決定を行う。
まず、ステージ滞在回数が予め定められた設定回数を超えているか否かを判断する（Ｓ２９０１）。そして、ステージ滞在回数が設定回数を超えていない場合（Ｓ２９０１でＮｏ）、処理を終了する。
【０１８６】
一方、ステージ滞在回数が設定回数を超えた場合（Ｓ２９０１でＹｅｓ）、ステージ移行抽選を実行する（Ｓ２９０２）。
ステージ移行抽選は、現在の滞在している滞在ステージとは異なるステージに、ステージ移行するか否かを抽選により決定するものである。なお、本実施の形態では、判定ステージ演出によって、ステージ移行する際に、複数のステージについて予め順序が定められている。具体的には、判定ステージ演出によるステージ移行の移行順は、陸ステージ→海ステージ→空ステージ→陸ステージの順になっている。そして、ステージ移行抽選では、例えば二分の一の確率で、ステージ移行させるか否かの抽選を行っている。
【０１８７】
そして、ステージ移行抽選の結果、ステージ移行しないという抽選結果になった場合（Ｓ２９０３でＮｏ）、処理を終了する。
一方、ステージ移行抽選の結果、ステージ移行するという抽選結果になった場合（Ｓ２９０３でＹｅｓ）、ＲＡＭ３０３の記憶領域に判定ステージ移行フラグのＯＮを記憶する。
【０１８８】
なお、本実施の形態の判定ステージ演出では、上述したとおり、ステージ滞在回数および設定回数に達した際に行うステージ移行抽選によってステージ移行の判定を行っているが、この態様に限定されない。
判定ステージ演出におけるステージ移行の判定は、例えば、ステージ滞在回数のみに基づいて行っても良い。また、判定ステージ演出におけるステージ移行の判定は、ステージ滞在回数やステージ移行抽選の他に、装飾図柄変動演出の内容に基づいて行っても良い。具体的には、例えば、ＳＰリーチやＳＰ・ＳＰリーチが実行された後、はずれとなる装飾図柄変動演出（例えば、図２２（ｊ）や図２３（ｊ））が実行された場合に、その次の変動表示から別のステージにステージ移行するようにしても良い。
【０１８９】
（ステージ滞在回数に関わる演出例）
次に、上述したステージ設定処理において行われるステージ滞在回数の計数に基づいて行う滞在回数に関わる演出について説明する。
図３０は、本実施の形態のステージ滞在回数に関わる演出例の説明図である。
本実施の形態では、判定ステージ移行演出により、ステージ滞在回数が設定回数に達したことを契機としてステージ移行抽選が行われ、抽選結果に応じてステージ移行される場合がある。そこで、図３０（ａ）に示すように、残り滞在回数表示８６を画面に表示し、遊技者にステージ移行が行われる予定までの変動表示の回数をカウントダウンによって報知する。図３０（ａ）の例では、現在、陸ステージに滞在している。従って、残り滞在回数表示８６として、例えば「残り５回で、陸ステージからステージ変更？」のテキストメッセージを表示する。
【０１９０】
本実施の形態では、残り滞在回数表示８６は、新たにステージ移行がされたときからカウントダウンを開始する。なお、残り滞在回数表示８６は、予め定められた残り回数（例えば、５回など）から表示を開始しても良い。さらに、残り滞在回数表示８６は、残り１回のみ行うようにしても良い。
【０１９１】
ところで、遊技者が複数種類のステージのうち、任意のステージでの滞在を希望する場合がある。一方で、上述のとおり、判定ステージ移行演出によって、ステージ移行が行われるようになっている。そこで、本実施の形態では、ステージ滞在回数が設定回数に達するよりも前に、選択ステージ演出によって、遊技者が滞在ステージを選択ステージとして選択し直すことで、その滞在ステージに継続して滞在できるようなっている。
【０１９２】
上述したステージ設定処理のＳ２８０４にて選択ステージへのステージ移行が行われると、Ｓ２８０８にてステージ滞在回数がゼロにリセットされる。このステージ滞在回数のリセットは、一のステージから、一のステージとは異なる他のステージにステージ移行する際において当然に行われる。加えて、本実施の形態では、ステージ滞在回数のリセットは、選択ステージ演出によって、遊技者が、一のステージ（滞在ステージ）において、同じ一のステージを選択ステージとした場合においても適用される。そして、この場合においても、Ｓ２８０９にて、ステージ滞在回数の計数が改めて開始される。結果的に、判定ステージ移行演出における設定回数に対して、ステージ滞在回数の残り回数が増加する。これによって、本実施の形態では、遊技者が希望するステージに、継続して滞在することを可能にしている。
【０１９３】
なお、図３０（ａ）に示すように、画面には、遊技者が選択ステージ演出により同一ステージを選択することで、そのステージに継続して滞在可能なことを報知するステージ継続操作指示画像８７を表示する。ステージ継続操作指示画像８７は、例えば「陸ステージを選んで、陸ステージ継続可」というテキストメッセージを表示する。
【０１９４】
また、図３０（ｂ）に示すように、遊技者によってステージ滞在回数がリセットされた場合には、ステージ滞在回数がリセットされたことを明示するリセット明示画像８８を画面に表示する。図３０（ｂ）の例では、現在滞在しているステージは、陸ステージである。従って、リセット明示画像８８は、例えば「陸ステージのカウントがリセット！」というテキストメッセージを表示する。
【０１９５】
なお、上述した残り滞在回数表示８６およびステージ継続操作指示画像８７の表示は、必須ではなく、滞在回数表示８６やステージ継続操作指示画像８７を画面に表示しなくても良い。
【０１９６】
〔特別ステージ演出〕
続いて、特別ステージ演出について説明する。
特別ステージ演出の実行は、演出対象の大当たりの有無、大当たり図柄の種類、変動表示の変動時間等に基づいて決定する。本実施の形態では、例えば、変動時間が比較的長い変動パターン（例えば、変動パターンＡ，Ｂ，Ｅ，Ｆ、図１２参照）の場合に、特別ステージ演出が実行される確率を高めている。一方、本実施の形態では、変動時間が比較的短い変動パターン（例えば、変動パターンＣ，Ｄ，Ｇ，Ｈ，Ｉ、図１２参照）の場合に、特別ステージ演出が実行される確率を低くしている。
このように、特別ステージ演出は、比較的長い変動パターンの場合に実行される割合が高い。そのため、特別ステージ演出が実行される際には、遊技者に、大当たりの当選を期待させることができる。
【０１９７】
なお、本実施の形態において、変動時間が短い変動パターン（例えば、変動パターンＪ、Ｋ、図１２参照）である場合には、特別ステージ演出を実行しないようにしている。
上述のとおり、特別ステージ演出は、演出時間が長い変動演出において実行される確率を高めることで、大当たりの期待度が高い場合に実行される演出として位置づけている。従って、はずれであって変動時間が短い変動演出においては、特別ステージ演出を実行しない。これによって、本実施の形態では、遊技者にとっての特別ステージ演出の価値が低下しないようにしている。
【０１９８】
そして、本実施の形態において、特別ステージ演出を行うと決定した場合には、ＲＡＭ３０３の記憶領域に特別ステージ移行フラグのＯＮを記憶する。
【０１９９】
続いて、図３１を参照しながら、特別ステージ演出を具体的に説明する。
図３１は、本実施の形態の特別ステージ演出の説明図である。
図３１（ａ）に示すように、画面にて、装飾図柄４１の変動表示が行われている。また、画面には、陸ステージ画像６１が表示され、陸ステージになっている。そして、図３１（ｂ）に示すように、装飾図柄４１が停止表示される。
その後、図３１（ｃ）に示すように、次の図柄表示の変動開始に伴って、陸ステージから特別ステージにステージ移行する。そして、特別ステージ画像６４を背景として、装飾図柄４１の変動表示を行う。
そして、図３１（ｄ）に示す例では、３つの装飾図柄４１が揃って、大当たりとなる。
【０２００】
なお、図３１（ｅ）に示すように、特別ステージ演出が実行された場合であっても、結果として、はずれになる場合もある。この場合には、図３１（ｆ）に示すように、特別ステージにステージ移行される前に滞在していたステージとは異なるステージに、ステージ移行する。この例において、図３１（ａ）に示す例では、特別ステージ演出が実行される前のステージは、陸ステージであったため、特別ステージ演出の終了後には、海ステージにステージ移行される。
【０２０１】
以上のとおり、本実施の形態の特別ステージ演出は、現在変動している変動表示の装飾図柄４１が確定して判定結果が報知されるまでに、その変動演出中に判定結果を示唆するという所謂当該予告による演出である。
ただし、特別ステージ演出は、事前判定結果に基づいて実行しても良い。事前判定演出に基づいて特別ステージ演出を行う場合には、まず、保留されている権利についての事前判定結果を参照し、その変動時間に基づいて、特別ステージ演出の対象となる報知対象を決定する。そして、その報知対象についての変動表示よりも前の変動表示から報知対象についての変動表示まで、特別ステージにステージ移行させる。
【０２０２】
〔選択ステージ演出〕
図３２は、本実施の形態の選択ステージ演出の処理フローである。
図３３は、本実施の形態の選択ステージ演出の説明図である。
続いて、図３２および図３３を参照しながら、選択ステージ演出について詳細に説明する。選択ステージ演出では、上述した判定ステージ演出においてステージ移行される通常ステージのうちから遊技者が任意に選択した選択ステージにステージ移行する。なお、本実施の形態の選択ステージ演出において、遊技者は、特別ステージを選択することはできない。
【０２０３】
図３２に示すように、まず、遊技者が選択ステージを選択するステージ選択操作を制限するステージ選択制限フラグ（後述）がＯＮであるか否かを判断する（Ｓ３２０１）。そして、ステージ選択制限フラグがＯＮでない場合（Ｓ３２０１でＮｏ）、ステージ選択操作を有効にする（Ｓ３２０２）。
【０２０４】
図３３（ａ）に示すように、画面には、空ステージ画像６３を背景として装飾図柄４１や、変動アイコン５１および保留アイコン５２が表示されている。つまり、空ステージに滞在している。また、画面には、現在、滞在している空ステージを明示するステージ名画像８１（空ステージ）が表示されている。
なお、本実施の形態において、演出キー１６２の操作によるステージ選択操作が行われるまでは、ステージ選択操作に関わる画像は画面に表示されない。
【０２０５】
その後、図３２に示すように、遊技者によるステージ選択操作の有無を判断する（Ｓ３２０３）。なお、本実施の形態において、ステージ選択操作は、演出キー１６２（図２（ｂ）参照）が遊技者によって操作されることにより受け付ける。そして、ステージ選択操作が行われた場合（Ｓ３２０３でＹｅｓ）、ステージ選択肢画像８２を表示する（Ｓ３２０４）。
【０２０６】
図３３（ｂ）に示すように、ステージ選択肢画像８２は、陸ステージ、海ステージおよび空ステージにそれぞれ対応する陸ステージ選択肢画像８２ａ、海ステージ選択肢画像８２ｂ、および空ステージ選択肢画像８２ｃを含んで構成されている。なお、以下の説明において、陸ステージ選択肢画像８２ａ、海ステージ選択肢画像８２ｂおよび空ステージ選択肢画像８２ｃを総称して、「ステージ選択肢画像８２」と呼ぶ。
【０２０７】
また、図３３（ｃ）に示すように、ステージ選択肢画像８２には、演出キー１６２の操作に伴って移動する選択枠画像８２Ｓが表示される。そして、演出キー１６２の操作によって、図３３（ｄ）に示すように、選択枠画像８２Ｓは、ステージ選択肢画像８２の陸ステージ選択肢画像８２ａ、海ステージ選択肢画像８２ｂおよび空ステージ選択肢画像８２ｃ上を順に移動する。さらに、画面には、説明画像８３が表示される。説明画像８３は、演出キー１６２の操作によって、ステージ移行が可能であることを遊技者に説明する画像である。説明画像８３は、例えば「矢印キーで  ステージ変更可能」といったテキストメッセージを表示する。
【０２０８】
そして、ステージ選択肢画像８２が表示された後、図３２に示すように、演出キー１６２の操作が行われなくなったときから所定時間（例えば、５秒など）が経過したか否か判断する（Ｓ３２０５）。所定時間が経過した場合（Ｓ３２０５でＹｅｓ）、そのときに選択枠画像８２Ｓが位置しているステージ選択肢画像に対応するステージを、選択ステージとして決定する（Ｓ３２０６）。
具体的には、図３３（ｄ）に示すように、例えば選択枠画像８２Ｓが海ステージ選択肢画像８２ｂ上に停止し、所定時間が経過すると、海ステージが選択ステージとして決定される。
【０２０９】
そして、図３２に示すように、選択ステージ情報を画面に表示する（Ｓ３２０７）。
選択ステージ情報は、図３３（ｅ）に示すように、選択ステージとして決定され、後にステージ移行するステージを明示する情報と、選択ステージにステージ移行されることを予告する情報とを含む。
本実施の形態では、選択ステージとして決定されたステージを明示する情報は、選択ステージに対応する一のステージ選択肢画像８２である。図３３（ｅ）の例では、選択ステージとして海ステージが決定したので、海ステージ選択肢画像８２ｂを表示する。
なお、選択ステージ情報は、ステージ選択肢画像８２に限定されない。つまり、選択ステージ情報は、ステージ選択操作によって選択された選択ステージが明示されれば良く、選択ステージを示すテキストメッセージや、選択ステージのテーマを示すテーマ画像など選択ステージに関連する画などであっても良い。
【０２１０】
また、図３３（ｅ）に示すように、選択ステージにステージ移行されることを予告する情報は、予告メッセージ画像８４である。予告メッセージ画像８４は、遊技者に対して、次の変動表示の変動開始の際に、選択ステージにステージ移行されることを伝える画像である。予告メッセージ画像８４は、例えば「次変動で、ステージが変わります」といったテキストメッセージを表示する。
【０２１１】
その後、図３２に示すように、次の変動表示にて選択ステージにステージ移行することを制限するステージ移行制限フラグ（後述）がＯＮになっているか否かを判断する（Ｓ３２０８）。ステージ移行制限フラグがＯＮである場合（Ｓ３２０８でＹｅｓ）、処理を終了する。
一方、ステージ移行制限フラグがＯＮでない場合（Ｓ３２０８でＮｏ）、ＲＡＭ３０３の記憶領域に選択ステージ移行フラグのＯＮを記憶する（Ｓ３２０９）。
【０２１２】
また、Ｓ３２０１にてステージ選択制限がＯＮの場合（Ｓ３２０１でＹｅｓ）や、Ｓ３２０３にてステージ選選択操作がない場合（Ｓ３２０３でＮｏ）、以前に選択ステージとして決定されたにも関わらず、ステージ移行が行われていない未移行の選択ステージがあるか否か判断する（Ｓ３２１０）。なお、未移行の選択ステージは、例えばＳ３２０６にて選択ステージが決定されたものの、Ｓ３２０８にてステージ移行制限フラグがＯＮであるためにステージ移行されなかった場合に発生する。
そして、未移行の選択ステージがない場合（Ｓ３２１０にてＮｏ）、処理を終了する。一方、未移行の選択ステージがある場合（Ｓ３２０１でＹｅｓ）であって、ステージ移行制限フラグがＯＮでない場合（Ｓ３２０８でＮｏ）、その未移行の選択ステージに基づいて、ＲＡＭ３０３の記憶領域に選択ステージ移行フラグのＯＮを記憶する（Ｓ３２０９）。
【０２１３】
なお、本実施の形態では、陸ステージ、海ステージおよび空ステージの３つのステージが選択可能になっている。従って、詳細には、選択ステージ移行フラグとしては、各ステージに対応する、陸選択ステージ移行フラグ、海選択ステージ移行フラグおよび空選択ステージ移行フラグが設けられている。
そして、図３３（ｅ）の例では、選択ステージは海ステージである。そのため、海ステージにステージ移行するように海選択ステージ移行フラグのＯＮを、ＲＡＭ３０３の記憶領域に記憶する。
【０２１４】
その後、図３３（ｆ）に示すように、次の変動表示の変動開始に伴って、ステージ移行が実行される。図３３（ｆ）の例では、海ステージにステージ移行するため、海ステージ画像６２を画面に表示する。また、本実施の形態では、ステージ移行の直後に、何れのステージにステージ移行されたことを示す移行後ステージ明示画像８５を表示する。移行後ステージ明示画像８５は、例えば「海ステージ  チェンジ」のテキストメッセージを表示する。
【０２１５】
そして、図３３（ｇ）に示すように、新たな海ステージ画像６２とともに装飾図柄４１が表示され、変動表示が行われる。
なお、図３３（ｈ）に示すように、再び、演出キー１６２を操作することによって、ステージ選択肢画像８２が表示される。そして、再度、ステージ移行操作およびステージ移行を行うことができる。
【０２１６】
なお、上述した実施の形態では、例えば前の変動表示中に選択ステージが選択された場合に、その次の変動表示の変動開始に伴って選択ステージにステージ移行するという例を用いて説明しているが、この態様に限定されるものではない。一回の変動表示中において、選択ステージが選択された場合に、その一回の変動表示中に、選択ステージにステージ移行するようにしても良い。例えば、一回の変動表示中に、演出キー１６２を操作すると陸ステージから海ステージにステージ移行し、さらに、演出キー１６２を操作すると、同じ一回の変動表示中に、海ステージから空ステージにステージ移行するようにしても良い。
【０２１７】
〔制限フラグ〕
続いて、遊技者によるステージ移行を制限する制限フラグについて説明する。
本実施の形態の制限フラグには、選択ステージが次変動ステージに設定されることを制限する「ステージ移行制限フラグ」と、遊技者によるステージ選択操作を制限する「ステージ選択制限フラグ」との２つが設けられている。この制限フラグは、ＲＡＭ３０３の記憶領域に記憶される。
そして、本実施の形態においては、所定の条件に基づいて、制限フラグ（ステージ移行制限フラグ，ステージ選択制限フラグ）をＯＮ／ＯＦＦを設定する。そして、遊技者によるステージ選択操作を無効または有効に設定したり、後の変動表示の開始に伴う選択ステージへのステージ移行を無効または有効にしたりする。本実施の形態においては、所定の条件は、装飾図柄変動演出との関係、連続予告演出との関係、特別ステージ演出との関係となっている。
【０２１８】
（装飾図柄変動演出との関係）
図３４は、装飾図柄変動演出と選択ステージ演出との関係の説明図である。
図３４を参照しながら、装飾図柄変動演出と選択ステージ演出との関係について具体的に説明する。なお、図３４に例示する６回の変動表示を、時系列順に、変動表示（イ）〜変動表示（ヘ）と呼ぶ。そして、変動表示（イ）は、変動時間が１３秒であり、リーチ無しの変動パターンである。変動表示（ロ）は、変動時間が１５秒であり、リーチ有りの変動パターンである。変動表示（ハ）は、変動時間が６０秒であり、リーチ有り（ＳＰリーチ含む）の変動パターンである。変動表示（ニ）および変動時間（ホ）は、変動時間が３秒であり、リーチ無しの変動パターンである。そして、変動時間（ヘ）は、変動時間が１３秒であり、リーチ無しの変動パターンである。
【０２１９】
−非変動表示時−
本実施の形態では、変動表示が行われていないとき（非変動表示時）には、ステージ選択制限フラグは、ＯＦＦになっている。つまり、非変動表示時においても、ステージ選択操作は有効になっている。
【０２２０】
図３４に示すように、変動表示（イ）が変動開始する前の非変動表示時には、ステージ選択操作制限フラグはＯＦＦになっている。つまり、非変動表示時には、ステージ選択操作は有効になっている。そして、このとき、例えば、ステージ選択操作Ａを行って、空ステージを選択ステージとして選択する。
また、変動表示（イ）が変動開始する前の非変動表示時には、ステージ移行制限フラグはＯＦＦになっている。つまり、次の変動表示である変動表示（ロ）におけるステージ移行が可能になっている。そして、図３４の例では、滞在ステージは、海ステージであるときにステージ選択操作Ａが行われている。従って、次の変動表示（イ）の変動開始に伴って、海ステージから空ステージにステージ移行される。
【０２２１】
−変動表示の停止表示−
図３４に示すように、本実施の形態において、装飾図柄の停止表示の直前（以下、停止前タイミングと呼ぶ）から停止表示までの期間においては、ステージ選択制限フラグをＯＮにする。つまり、装飾図柄の停止前タイミングから停止表示までの期間においては、ステージ選択操作を無効にしている。なお、停止前タイミングは、例えば、装飾図柄の停止順が左図柄、右図柄、中図柄の順である場合に、中図柄が仮停止し始めるタイミングを例示することができる。
【０２２２】
本実施の形態のパチンコ遊技機１００では、例えば遊技誤認等を防止するために、装飾図柄の確定を遊技者に確実に見せるようにしている。ここで、ステージ選択操作を受け付けているときは、ステージ選択操作に関わる画像を表示制御（例えば、選択枠画像８２Ｓを移動させる等）するため、表示制御の負荷が大きくなる。そうすると、装飾図柄の停止前タイミングから停止表示までの期間にステージ選択操作を受け付けるようにすることは、上述の装飾図柄の確定を遊技者に確実に見せるという点でそぐわない。そこで、本実施の形態では、変動表示の変動停止前の所定の期間においては、ステージ選択操作を受け付けないようにしている。
【０２２３】
例えば、変動表示（イ）や変動表示（ロ）において、各々の変動表示の停止前タイミングから停止表示までの間は、ステージ選択制限フラグがＯＮになる。つまり、変動表示の停止前タイミングから停止表示までの間においては、ステージ選択操作が無効になる。このタイミングにおいて、遊技者が演出キー１６２を操作しても、ステージ選択肢画像８２（図３３（ｂ）参照）は、画面に表示されない。
【０２２４】
なお、変動表示の停止前タイミングよりも前からステージ選択操作を行っていた場合、停止前タイミングになったときに、選択枠画像８２Ｓが位置しているステージ選択肢画像に対応するステージを、選択ステージとして決定する。
【０２２５】
なお、変動表示（ロ）において示すように、停止前タイミングよりも前であれば、ステージ選択操作によって、一度、選択ステージが決定した場合であっても、再度、ステージ選択操作を行うことによって、選択ステージを再決定することができる。
例えば、変動表示（ロ）において、ステージ選択操作Ｂによって、選択ステージとして陸ステージを選択する。その後、変動表示（ロ）において、ステージ選択操作Ｃを実行することで、選択ステージとして海ステージが選択される。
【０２２６】
−ＳＰリーチ／ＳＰ・ＳＰリーチ−
図３４に示すように、本実施の形態においては、ＳＰリーチやＳＰ・ＳＰリーチが実行されているときには、ステージ選択制限フラグをＯＮにする。つまり、ＳＰリーチやＳＰ・ＳＰリーチ実行中には、ステージ選択操作を無効にしている。
本実施の形態においては、ＳＰリーチ演出やＳＰ・ＳＰリーチ演出は、遊技者にとって期待が高まるタイミングである。従って、ＳＰリーチ演出やＳＰ・ＳＰリーチ演出が開始した以降は、ステージ選択操作を受け付けないようにする。そして、本実施の形態では、遊技者がＳＰリーチ演出に集中できるようにしている。
【０２２７】
具体的には、変動表示（ハ）が変動開始する。そして、この例では、変動表示（ハ）が開始してから所定の時間が経過すると通常リーチ演出が実行される。さらにその後、変動表示（ハ）にて、通常リーチに引き続いてＳＰリーチ演出が実行される。また、変動表示（ハ）のときに滞在しているステージは、海ステージである。
そして、変動表示（ハ）において、変動開始からＳＰリーチ演出が開始されるまでにおいては、ステージ選択操作を有効にする。ここでは、ステージ選択操作Ｄによって陸ステージが選択ステージとして決定される。その後、変動表示（ハ）において、ＳＰリーチ演出が開始されると、その後のステージ選択操作については無効になる。
また、ＳＰリーチ演出の開始前に、ステージ選択操作Ｄによって、選択ステージが決定している場合には、陸ステージ選択肢画像および予告メッセージ画像８４（図３３参照）が画面に表示される。
【０２２８】
なお、ＳＰリーチ演出の開始前にステージ選択操作Ｄを開始したにも関わらず、ＳＰリーチ演出の開始までに選択ステージが決定していな場合には、ＳＰリーチ演出の開始するときに、選択枠画像８２Ｓが位置しているステージ選択肢画像に対応するステージが選択ステージとして決定される。
【０２２９】
−演出時間−
図３４に示すように、本実施の形態の選択ステージ演出においては、演出時間に応じて、ステージ移行を制限する場合がある。具体的には、変動時間が比較的短い変動表示が実行されるときには、ステージ選択操作は有効とするが、次の変動表示の開始に伴って選択ステージにステージ移行させることはせず、さらに次の変動表示の開始に伴って選択ステージにステージ移行させる。
【０２３０】
具体的には、変動表示（ニ）の実行中に、ステージ選択操作Ｅを受け付ける。ここでは、選択ステージとして、空ステージが決定される。なお、このときに滞在しているステージは、陸ステージである。
その後に次の変動表示（ホ）が開始する。前の変動においてステージ選択操作Ｅによって空ステージが選択ステージとして決定しているものの、この変動表示（ホ）においては、ステージ移行は実行されない。つまり、ステージは、陸ステージのままである。
そして、さらに次の変動表示（へ）の開始に伴って、陸ステージから、選択ステージである空ステージにステージ移行する。
【０２３１】
また、変動時間が比較的短い変動表示が実行されるときには、その前の変動表示にて選択ステージが決定していても、短い変動表示中においては、ステージ移行されないようにしても良い。変動時間が比較的短い変動表示においては、短時間に、装飾図柄４１の変動表示を行い、停止表示を行う必要がある。そして、短い変動表示において、ステージ移行に関わる各種の表示制御までも更に行おうとすると、表示制御の処理が煩雑になる。そこで、本実施の形態においては、変動時間が比較的短い変動表示が実行されるときには、その短い変動中においては、ステージ移行しないようにする。
【０２３２】
なお、上述した実施の形態における制御に限定されない。上述のとおり、比較的長い変動表示が実行されている場合には、停止前タイミングから停止表示までの期間のステージ選択操作は無効にするものの、比較的短い変動表示が実行されている場合には、停止前タイミング以降であってもステージ選択操作を有効にしても良い。具体的には、図３４の変動表示（二）に示すように、演出時間が短い変動表示（例えば、設けられる変動パターンのうち最も変動時間が短い変動パターンが選択された場合）においては、変動開始から変動停止（停止前タイミングを含め）までの全期間においてステージ選択操作Ｆを有効にしても良い。
【０２３３】
（連続予告演出との関係）
図３５は、連続予告演出と選択ステージ演出との関係の説明図である。
本実施の形態においては、事前判定演出パターンにおける所定の条件に基づいて、連続予行演出を実行する（図２６参照）。そして、本実施の形態では、連続予告演出が行われる場合には、ステージ移行制限フラグをＯＮにして、選択ステージ演出によるステージ移行を制限する。
なお、図３５（ａ）および図３５（ｂ）に例示する４回の変動表示を、時系列順に、変動表示（イ）〜変動表示（ニ）と呼ぶ。そして、連続予告演出は、変動表示（ロ）および変動表示（ハ）にまたがって実行する。
【０２３４】
連続予告演出においては、複数回の変動表示をまたいで所定の演出が実行される。特に図２６を参照しながら説明したとおり、本実施の形態の連続予告演出では、ステージ画像に対応づけられたカットイン画像を用いるようにしている。さらに、カットイン画像は、複数回の変動表示をまたいで、同じ形状のものが用いられる。
【０２３５】
ここで、連続予告演出において、例えばステージ移行を行った場合に、ステージ移行に併せてカットイン画像を異ならせると、初回のカットイン画像と、２回目のカットイン画像とが異なることになる。そうすると、連続予告演出としての効果が低減するおそれがある。また、ステージ移行の前後で、カットイン画像を共通にすると、ステージ画像とカットイン画像との関連性がなくなってしまう。
【０２３６】
そこで、本実施の形態では、連続予告演出の実行前のステージ選択操作を制限し、結果的に、連続予告演出の実行中におけるステージ移行を制限する。
図３５（ａ）に示すように、連続予告演出の最初の変動表示（ロ）の前の変動表示（イ）から、連続予告演出中の変動表示（ロ）および変動表示（ハ）において、ステージ選択制限フラグをＯＮにする。つまり、連続予告演出の最初の変動表示（ロ）の前の変動表示（イ）から連続予告演出が終了する変動表示（ハ）において、ステージ選択操作が無効になる。
これによって、結果として、連続予告演出が開始されてから連続予告演出が終了するまで、選択ステージへのステージ移行が行われなくなる。
なお、ステージ選択制限フラグは、連続予告演出の終了（この例では、変動表示（ハ）の終了）でＯＦＦにする。
【０２３７】
また、ステージ選択操作を有効にしたまま、選択ステージへのステージ移行を制限しても良い。
図３５（ｂ）に示すように、変動表示（イ）から変動表示（ニ）まで、ステージ選択制限フラグはＯＦＦにする。これによって、連続予告演出中のステージ選択操作が有効になる。
一方、変動表示（イ）および変動表示（ロ）において、ステージ移行制限フラグをＯＮにする。つまり、変動表示（イ）および変動表示（ロ）の実行中に、次変動ステージとして選択ステージが設定されることが制限される。これによって、変動表示（イ）の次の変動表示（ロ）、および変動表示（ロ）の次の変動表示（ハ）において、選択ステージが次変動ステージとして設定されなくなる。結果として、ステージ選択操作によって選択ステージが決定されても、連続予告実行中には、ステージ移行は行われない。
なお、ステージ移行制限フラグは、変動表示（ロ）の変動停止でＯＦＦにする。
【０２３８】
以上のように、連続予告演出の実行に伴って、選択ステージ演出に関わる制限フラグを設定する。これにより、本実施の形態のパチンコ遊技機１００においては、連続予告演出中に、演出キー１６２を操作してもステージ選択操作を行えなかったり、ステージ選択操作を実行してもステージ移行が行われなかったりする。つまり、連続予告演出中においては、演出キー１６２を操作しても、結果的に、ステージ移行が行われないという事象が発生する。このことをもって、本実施の形態では、現在、連続予告演出が行われている最中であることを、遊技者に間接的に認識させることが可能になっている。
【０２３９】
なお、本実施の形態においては、連続予告演出とは別に、疑似連続演出を実行する場合がある。そして、例えば、疑似連続演出が実行される場合には、ステージ選択操作を可能にしても良い。一方で、図３５（ａ）を参照しながら説明したように、連続予告が実行されているときには、ステージ選択操作を行えないようにする。これによって、遊技者がステージ選択操作を行ったとき、連続予告演出が実行されているときにはステージ選択操作ができず、疑似連続演出が実行されているときにはステージ選択操作が可能になるという状況が発生し得る。このように構成した場合、遊技者は、疑似連続演出の実行中あるいは連続予告演出の実行中に、演出キー１６２を操作してステージ選択操作を行おうとすることで、現在行われている演出が、疑似連続演出であるか、連続予告演出であるかを推察することもできる。
【０２４０】
（特別ステージ演出との関係）
図３６は、特別ステージ演出と選択ステージ演出との関係の説明図である。
なお、図３６（ａ）に例示する３回の変動表示を、時系列順に、変動表示（イ）〜変動表示（ハ）と呼ぶ。そして、特別ステージ演出は、変動表示（ロ）において実行する。
【０２４１】
本実施の形態においては、特別ステージにステージ移行させる特別ステージ演出を実行する（図２９参照）。図２８を参照しながら説明したとおり、特別ステージ移行フラグがＯＮになっている場合には、特別ステージに移行し、判定ステージおよび選択ステージが次変動ステージとして設定されることはない。つまり、特別ステージ演出は、判定ステージ演出や選択ステージ演出よりも優先的に実行される。
ただし、本実施の形態では、特別ステージにおいて、選択ステージ移行演出におけるステージ選択操作は可能にしている。
【０２４２】
図３６（ａ）に示すように、本実施の形態では、特別ステージ演出が実行される変動表示（ロ）においても、ステージ選択制限フラグはＯＦＦにする。つまり、特別ステージ演出が実行される変動表示（ロ）において、ステージ選択操作が有効になっている。
従って、特別ステージ演出が実行されているときに、遊技者によってステージ選択操作が行われると、次の変動表示（ハ）の変動開始に伴って、選択ステージにステージ移行する。
【０２４３】
また、特別ステージ演出は、事前判定結果に基づいて実行することもできる。
なお、図３６（ｂ）に例示する４回の変動表示を、時系列順に、変動表示（イ）〜変動表示（ニ）と呼ぶ。そして、特別ステージ演出は、変動表示（ロ）および変動表示（ハ）において実行する。
【０２４４】
図２８を参照しながら説明したとおり、特別ステージ移行フラグがＯＮになっている場合には、特別ステージに移行し、判定ステージおよび選択ステージが次変動ステージとして設定されることはない。つまり、特別ステージ演出は、判定ステージ演出や選択ステージ演出よりも優先的に実行される。
ただし、本実施の形態では、事前判定結果に基づいて実行する特別ステージにおいても、選択ステージ移行演出におけるステージ選択操作は可能にしている。
【０２４５】
図３６（ｂ）に示すように、特別ステージ演出が実行される変動表示（ロ）および変動表示（ハ）においても、ステージ選択制限フラグはＯＦＦにする。つまり、特別ステージ演出が実行される変動表示（ロ）および変動表示（ハ）において、ステージ選択操作が有効になっている。
【０２４６】
そして、特別ステージ演出が実行されている変動表示（ロ）のときに、遊技者によってステージ選択操作が行われると、ステージ選択操作は可能であるが、次の変動表示（ハ）においては選択ステージにはステージ移行せず、特別ステージが継続する。また、特別ステージ演出が実行されている変動表示（ロ）または変動表示（ハ）のときに、遊技者によってステージ選択操作が行われると、次の変動表示（ニ）の変動開始に伴って、選択ステージにステージ移行する。
【０２４７】
図３７は、変形例の選択ステージ演出の説明図である。
図３７に示すように、変形例の選択ステージ演出においては、ステージ選択操作によって表示されるステージ選択肢画像８２の内容およびその後の処理が、上述した本実施の形態とは異なるものである。
図３７に示すように、ステージ選択肢画像８２は、陸ステージ選択肢画像８２ａ、海ステージ選択肢画像８２ｂ、空ステージ選択肢画像８２ｃおよびステージおまかせ画像８２ｄを含んでいる。つまり、ステージおまかせ画像８２ｄが表示される点が異なる。
そして、ステージ選択操作によって、ステージおまかせ画像８２ｄが選択された場合には、抽選によって、陸ステージ、海ステージおよび空ステージのうち、いずれかのステージが選ばれ、選択ステージとして決定される。そして、後の変動表示の開始に伴って、決定された選択ステージへのステージ移行が行われる。
【０２４８】
なお、変形例の選択ステージ演出を採用する場合に、ステージおまかせ画像８２ｄを常に表示させなくても良い。例えば、事前判定結果に基づいて、後の変動表示において特別ステージ演出が実行されることは事前に判定される。そこで、例えば、次の変動表示において特別ステージ演出が実行される場合には、例外としてステージ選択操作を有効にするとともに、ステージおまかせ画像８２ｄを加えたステージ選択肢画像８２を表示する。
ここで、本実施の形態では、ステージ選択操作によって、特別ステージを選択ステージとして設定することはできない。ただし、上述のとおり、特別ステージに移行する前のタイミングで、ステージおまかせ画像８２ｄを表示可能に設定しておくことで、遊技者が任意のタイミングにて、演出キー１６２を操作した場合に、所定の条件が満たされる場合には、ステージおまかせ画像８２ｄが表示され、場合によっては特別ステージにステージ移行するという演出をみせることも可能である。
【０２４９】
〔本実施の形態の技術的特徴〕
◆上記のように、本実施の形態では、遊技制御手段の動作を制御する制御命令の増加を削減するため、遊技制御部２００により所定の時間間隔で繰り返し実行される主制御処理において、１サイクルの主制御処理の最後に、その１サイクルの実行で生成されたコマンドをまとめて、演出制御部３００へ出力することとした。すなわち、上記の目的を達成する遊技機は、遊技の進行に応じて演出を行う遊技機（例えば、パチンコ遊技機１００）であって、遊技の進行に関する一連の処理である主制御処理を所定の条件にしたがって繰り返し実行し、当該主制御処理を実行して得られた遊技に関する情報を含むデータを生成する遊技制御手段（例えば、遊技制御部２００）と、一連の前記主制御処理を１サイクル実行する度に、当該１サイクルの実行により生成された前記データを、当該１サイクルの実行における最後のデータの生成が行われた後に出力する出力手段（例えば、出力制御部２４０）と、前記出力手段（例えば、出力制御部２４０）から出力されたデータを受け付け、受け付けたデータに基づき演出を行う演出制御手段（例えば、演出制御部３００）と、を備える。
このようにすれば、生成されたデータごとに出力処理を行う必要がないため、出力処理を行うための制御命令を削減し、プログラムサイズの増大を抑制することができる。また、データが生成される度に出力処理を行う必要がないため、出力処理全体に要する時間を短縮することができる。
また、より詳細には、上記の遊技機において、前記主制御処理で生成されたデータを、データごとに設定された記憶領域（例えば、コマンド格納領域）に記憶する記憶手段（例えば、ＲＡＭ２０３）をさらに備え、前記遊技制御手段（例えば、遊技制御部２００）は、前記主制御処理において生成した前記データを、生成したデータに対応付けられた前記記憶領域（例えば、コマンド格納領域）に記憶させ、前記出力手段（例えば、出力制御部２４０）は、前記記憶手段（例えば、ＲＡＭ２０３）の各記憶領域に対してデータが記憶されているか否かを調べ、データが記憶されている記憶領域からデータを読み出して出力する。
このようにすれば、出力処理を行う度に、各記憶領域を確認して、記憶されているデータを出力するので、データ出力の漏れを防止することができる。
【０２５０】
◆また、上記の目的を達成する他の遊技機は、遊技の進行に応じて演出を行う遊技機（例えば、パチンコ遊技機１００）であって、遊技の進行に関する一連の処理である主制御処理を所定の条件にしたがって繰り返し実行し、当該主制御処理とは異なる条件にしたがって当該主制御処理とは異なる特別処理を実行する遊技制御手段（例えば、遊技制御部２００）と、前記遊技制御手段（例えば、遊技制御部２００）から出力されたデータを受け付け、前記データに基づき演出に関わる処理を行う演出制御手段（例えば、演出制御部３００）と、を備え、前記主制御処理において前記遊技制御手段（例えば、遊技制御部２００）による処理は、遊技の進行に基づく処理を行うと共に、当該処理を実行して得られた情報を含むデータを生成する１または複数の第１の処理手段（例えば、遊技制御部２００）を呼び出して実行する部分と、前記第１の処理手段（例えば、遊技制御部２００）の実行により生成されたデータを前記演出制御手段（例えば、演出制御部３００）へ出力する第２の処理手段（例えば、出力制御部２４０）を呼び出して実行する部分と、を含み、前記特別処理において前記遊技制御手段（例えば、遊技制御部２００）による処理は、遊技機（例えば、パチンコ遊技機１００）の設定を行う設定処理を実行する部分と、前記設定処理において生成されたデータを、前記主制御処理における前記第２の処理手段（例えば、出力制御部２４０）を呼び出して、前記演出制御手段（例えば、演出制御部３００）へ出力する部分と、を含む、構成とすることができる。
このようにすれば、特別処理で生成されたデータの出力処理を行うために個別の制御命令を用意する必要がないため、出力処理を行うための制御命令を削減し、プログラムサイズの増大を抑制することができる。
また、より詳細には、上記の遊技機において、前記主制御処理で生成されたデータを、データごとに設定された記憶領域に記憶する記憶手段（例えば、ＲＡＭ２０３）をさらに備え、前記主制御処理における前記第１の処理手段（例えば、遊技制御部２００）は、処理の実行により生成した前記データを、生成したデータに対応付けられた前記記憶領域（例えば、コマンド格納領域）に順次記憶させ、前記主制御処理における前記第２の処理手段（例えば、出力制御部２４０）は、前記記憶手段（例えば、ＲＡＭ２０３）の各記憶領域に対してデータが記憶されているか否かを調べ、データが記憶されている記憶領域からデータを読み出して出力し、前記特別処理における前記設定処理では、前記設定処理において生成されたデータを、前記記憶手段（例えば、ＲＡＭ２０３）における所定の前記記憶領域に記憶させる。
このようにすれば、出力処理を行う度に、各記憶領域を確認して、記憶されているデータを出力するので、データ出力の漏れを防止することができる。
【０２５１】
なお、パチンコ遊技機１００（図１参照）は遊技機の一例である。遊技制御部２００（図３参照）は遊技制御手段の一例である。演出制御部３００（図３参照）は演出制御手段の一例である。出力制御部２４０（図５参照）は出力手段の一例である。ＲＡＭ２０３（図３参照）は記憶手段の一例である。コマンド格納領域は記憶領域の一例である。
【０２５２】
また、上述した本実施の形態は、抽選結果を複数リールの停止時に図柄の組み合わせで表示するスロットマシン等の遊技機に適用することができる。
【符号の説明】
【０２５３】
４１…装飾図柄、６１…陸ステージ画像、６２…海ステージ画像、６３…空ステージ画像、６４…特別ステージ画像、７２…海カットイン画像、７３…空カットイン画像、８１…ステージ名画像、８２…ステージ選択肢画像、８２ａ…陸ステージ選択肢画像、８２ｂ…海ステージ選択肢画像、８２ｃ…空ステージ選択肢画像、８２ｄ…ステージおまかせ画像、８２Ｓ…選択枠画像、８３…説明画像、８４…予告メッセージ画像、８５…移行後ステージ明示画像、８６…滞在回数表示、８７…ステージ継続操作指示画像、８８…リセット明示画像、１６２…演出キー
【図１】
2018149421.tif 000003
【図２】
2018149421.tif 000004
【図３】
2018149421.tif 000005
【図４】
2018149421.tif 000006
【図５】
2018149421.tif 000007
【図６】
2018149421.tif 000008
【図７】
2018149421.tif 000009
【図８】
2018149421.tif 000010
【図９】
2018149421.tif 000011
【図１０】
2018149421.tif 000012
【図１１】
2018149421.tif 000013
【図１２】
2018149421.tif 000014
【図１３】
2018149421.tif 000015
【図１４】
2018149421.tif 000016
【図１５】
2018149421.tif 000017
【図１６】
2018149421.tif 000018
【図１７】
2018149421.tif 000019
【図１８】
2018149421.tif 000020
【図１９】
2018149421.tif 000021
【図２０】
2018149421.tif 000022
【図２１】
2018149421.tif 000023
【図２２】
2018149421.tif 000024
【図２３】
2018149421.tif 000025
【図２４】
2018149421.tif 000026
【図２５】
2018149421.tif 000027
【図２６】
2018149421.tif 000028
【図２７】
2018149421.tif 000029
【図２８】
2018149421.tif 000030
【図２９】
2018149421.tif 000031
【図３０】
2018149421.tif 000032
【図３１】
2018149421.tif 000033
【図３２】
2018149421.tif 000034
【図３３】
2018149421.tif 000035
【図３４】
2018149421.tif 000036
【図３５】
2018149421.tif 000037
【図３６】
2018149421.tif 000038
【図３７】
2018149421.tif 000039